(57)【要約】  簡単に述べると、１つ又は複数の実施形態によれば、仮想化ネットワーク機能資源は、ネットワークで管理されることがある。ＭＭＥプール内の少なくとも１つのモビリティ管理エンティティ（ＭＭＥ）、又はその他のネットワーク要素についての性能測定値が受信されることがある。性能測定値のうちの少なくとも１つが少なくとも１つの所定のしきい値を超える場合には、新たなモビリティ管理エンティティ仮想ネットワーク機能（ＭＭＥ  ＶＮＦ）のインスタンス化が要求されることがあり、ＭＭＥ  ＶＮＦは、この要求に応答してインスタンス化されることがある。ＭＭＥプールによって管理される１つ又は複数のユーザ機器（ＵＥ）デバイスは、この追加されたＭＭＥ  ＶＮＦに接続されることがある。
2017528967.tif 000002
【特許請求の範囲】
【請求項１】
モビリティ管理エンティティ（ＭＭＥ）プールを有するネットワークにおいて資源を管理してロードバランシングを実行する情報ハンドリングシステムであって、
前記ＭＭＥプール内の少なくとも１つのＭＭＥについての性能測定値を受信し、
前記性能測定値のうちの少なくとも１つが少なくとも１つの所定のしきい値を超える場合に、新たなモビリティ管理エンティティ仮想ネットワーク機能（ＭＭＥ  ＶＮＦ）をインスタンス化するように要求し、
前記要求に応答して前記ＭＭＥ  ＶＮＦをインスタンス化し、
前記ＭＭＥプールによって管理される１つ又は複数のユーザ機器（ＵＥ）デバイスを追加されたＭＭＥ  ＶＮＦに接続する
ように構成された回路を備える、情報ハンドリングシステム。
【請求項２】
前記性能測定値が、ＭＭＥプロセッサ使用又はＳ１−ＭＭＥデータボリュームを備え、前記回路が、ＭＭＥプロセッサ使用カウンタ又はＳ１−ＭＭＥデータカウンタがしきい値を超える場合に、追加の計算又は記憶資源或いはその組合せを割り当てるようにさらに構成される、請求項１に記載の情報ハンドリングシステム。
【請求項３】
前記性能測定値が、前記ネットワークのネットワークマネージャ（ＮＭ）、前記ネットワークのＶＮＦマネージャ、又は前記ネットワークの要素マネージャによって受信され、前記ＮＭ、前記ＶＮＦマネージャ、又は前記要素マネージャが、前記性能測定値のうちの少なくとも１つが少なくとも１つの所定のしきい値を超えるかどうかを判定する、請求項１に記載の情報ハンドリングシステム。
【請求項４】
前記性能測定値が、前記ネットワークのネットワークマネージャ（ＮＭ）、前記ネットワークのＶＮＦマネージャ、又は前記ネットワークの要素マネージャによって受信され、前記性能測定値が、ネットワーク仮想機能オーケストレータ（ＮＦＶオーケストレータ）に転送され、前記ＮＦＶオーケストレータが、前記性能測定値のうちの少なくとも１つが少なくとも１つの所定のしきい値を超えるかどうかを判定する、請求項１に記載の情報ハンドリングシステム。
【請求項５】
前記ＭＭＥプールが、少なくとも１つの物理ＭＭＥネットワーク要素を備え、前記回路が、１つ又は複数のＵＥを前記物理ＭＭＥネットワーク要素から前記ＭＭＥ  ＶＮＦにリバランスするようにさらに構成される、請求項１に記載の情報ハンドリングシステム。
【請求項６】
前記回路が、前記性能測定値のうちの少なくとも１つが少なくとも１つの所定のしきい値を下回る場合に、前記ＭＭＥ  ＶＮＦを終了するようにさらに構成される、請求項１に記載の情報ハンドリングシステム。
【請求項７】
モビリティ管理エンティティ（ＭＭＥ）プールを有するネットワークにおいて資源を管理してロードバランシングを実行する情報ハンドリングシステムであって、
ＭＭＥ仮想ネットワーク機能（ＭＭＥ  ＶＮＦ）の性能測定値を受信し、
前記性能測定値のうちの少なくとも１つが少なくとも１つの所定のしきい値を超える場合に、新たなＭＭＥ  ＶＮＦをスケールアウトする要求を送信し、
前記要求に応答して前記新たなＭＭＥ  ＶＮＦをインスタンス化し、
前記ＭＭＥプールによって管理される１つ又は複数のユーザ機器（ＵＥ）デバイスを前記新たなＭＭＥ  ＶＮＦに接続する
ように構成された回路を備える、情報ハンドリングシステム。
【請求項８】
前記性能測定値が、ＭＭＥプロセッサ使用又はＳ１−ＭＭＥデータボリュームを備え、前記回路が、ＭＭＥプロセッサ使用カウンタ又はＳ１−ＭＭＥデータカウンタがしきい値を超える場合に、追加の計算又は記憶資源或いはその組合せを割り当てるようにさらに構成される、請求項７に記載の情報ハンドリングシステム。
【請求項９】
前記性能測定値が、前記ネットワークのネットワークマネージャ（ＮＭ）、前記ネットワークのＶＮＦマネージャ、又は前記ネットワークの要素マネージャによって受信され、前記ＮＭ、前記ＶＮＦマネージャ、又は前記要素マネージャが、前記性能測定値のうちの少なくとも１つが少なくとも１つの所定のしきい値を超えるかどうかを判定する、請求項７に記載の情報ハンドリングシステム。
【請求項１０】
前記性能測定値が、前記ネットワークのネットワークマネージャ（ＮＭ）、前記ネットワークのＶＮＦマネージャ、又は前記ネットワークの要素マネージャによって受信され、前記性能測定値が、ネットワーク仮想機能オーケストレータ（ＮＦＶオーケストレータ）に転送され、前記ＮＦＶオーケストレータが、前記性能測定値のうちの少なくとも１つが少なくとも１つの所定のしきい値を超えるかどうかを判定する、請求項７に記載の情報ハンドリングシステム。
【請求項１１】
前記ＭＭＥプールが、少なくとも１つの物理ＭＭＥネットワーク要素を備え、前記回路が、１つ又は複数のＵＥを前記物理ＭＭＥネットワーク要素から前記ＭＭＥ  ＶＮＦにリバランスするようにさらに構成される、請求項７に記載の情報ハンドリングシステム。
【請求項１２】
前記回路が、
前記性能測定値のうちの少なくとも１つが少なくとも１つの所定のしきい値を下回る場合に、前記ＭＭＥ  ＶＮＦをスケールインする要求を送信し、
前記ＭＭＥプールによって管理される１つ又は複数のユーザ機器（ＵＥ）デバイスを異なるＭＭＥ  ＶＮＦにオフロードし、
スケールインされる前記ＭＭＥ  ＶＮＦを終了するようにさらに構成される、請求項７に記載の情報ハンドリングシステム。
【請求項１３】
モビリティ管理エンティティ（ＭＭＥ）プールを有するネットワークにおいて資源を管理する情報ハンドリングシステムであって、
ＭＭＥ仮想ネットワーク機能（ＭＭＥ  ＶＮＦ）の性能測定値を受信し、
前記性能測定値のうちの少なくとも１つが少なくとも１つの所定のしきい値を超える場合に、ＭＭＥ  ＶＮＦ資源をスケールアップする要求を送信し、
前記要求に応答して前記ＭＭＥ  ＶＮＦ資源を増大させ、
前記増大したＭＭＥ  ＶＮＦ資源に応じて新たな重み因子で前記ＭＭＥプールによって管理される１つ又は複数のユーザ機器（ＵＥ）デバイスを更新する
ように構成された回路を備える、情報ハンドリングシステム。
【請求項１４】
前記性能測定値が、ＭＭＥプロセッサ使用又はＳ１−ＭＭＥデータボリュームを備え、前記回路が、ＭＭＥプロセッサ使用カウンタ又はＳ１−ＭＭＥデータカウンタがしきい値を超える場合に、計算資源又は記憶資源或いはその組合せを増大させるようにさらに構成される、請求項１３に記載の情報ハンドリングシステム。
【請求項１５】
前記性能測定値が、前記ネットワークのネットワークマネージャ（ＮＭ）、前記ネットワークのＶＮＦマネージャ、又は前記ネットワークの要素マネージャによって受信され、前記ＮＭ、前記ＶＮＦマネージャ、又は前記要素マネージャが、前記性能測定値のうちの少なくとも１つが少なくとも１つの所定のしきい値を超えるかどうかを判定する、請求項１３に記載の情報ハンドリングシステム。
【請求項１６】
前記性能測定値が、前記ネットワークのネットワークマネージャ（ＮＭ）、前記ネットワークのＶＮＦマネージャ、又は前記ネットワークの要素マネージャによって受信され、前記性能測定値が、ネットワーク仮想機能オーケストレータ（ＮＦＶオーケストレータ）に転送され、前記ＮＦＶオーケストレータが、前記性能測定値のうちの少なくとも１つが少なくとも１つの所定のしきい値を超えるかどうかを判定する、請求項１３に記載の情報ハンドリングシステム。
【請求項１７】
前記ＭＭＥプールが、少なくとも１つの物理ＭＭＥネットワーク要素を備え、前記回路が、１つ又は複数のＵＥを前記物理ＭＭＥネットワーク要素から前記ＭＭＥ  ＶＮＦにリバランスするようにさらに構成される、請求項１３に記載の情報ハンドリングシステム。
【請求項１８】
前記回路が、
前記性能測定値のうちの少なくとも１つが少なくとも１つの所定のしきい値を下回る場合に、前記ＭＭＥ  ＶＮＦ資源をスケールダウンする要求を送信し、
前記要求に応答して前記ＭＭＥ  ＶＮＦ資源を減少させ、
前記増大したＭＭＥ  ＶＮＦ資源に応じて新たな重み因子で前記ＭＭＥプールによって管理される１つ又は複数のユーザ機器（ＵＥ）デバイスを更新するようにさらに構成される、請求項１３に記載の情報ハンドリングシステム。
【請求項１９】
モビリティ管理エンティティ（ＭＭＥ）プールを有するネットワークにおいて資源を管理してロードバランシングを実行する方法であって、
前記ＭＭＥプール内の少なくとも１つのＭＭＥについての性能測定値を受信するステップと、
前記性能測定値のうちの少なくとも１つが少なくとも１つの所定のしきい値を超える場合に、新たなモビリティ管理エンティティ仮想ネットワーク機能（ＭＭＥ  ＶＮＦ）をインスタンス化するように要求するステップと、
前記要求に応答して前記ＭＭＥ  ＶＮＦをインスタンス化するステップと、
前記ＭＭＥプールによって管理される１つ又は複数のユーザ機器（ＵＥ）デバイスを追加されたＭＭＥ  ＶＮＦに接続するステップと
を備える、方法。
【請求項２０】
前記性能測定値が、ＭＭＥプロセッサ使用又はＳ１−ＭＭＥデータボリュームを備え、前記方法が、ＭＭＥプロセッサ使用カウンタ又はＳ１−ＭＭＥデータカウンタがしきい値を超える場合に、追加の計算又は記憶資源或いはその組合せを割り当てるステップをさらに備える、請求項１９に記載の方法。
【請求項２１】
前記性能測定値が、前記ネットワークのネットワークマネージャ（ＮＭ）、前記ネットワークのＶＮＦマネージャ、又は前記ネットワークの要素マネージャによって受信され、前記ＮＭ、前記ＶＮＦマネージャ、又は前記要素マネージャが、前記性能測定値のうちの少なくとも１つが少なくとも１つの所定のしきい値を超えるかどうかを判定する、請求項１９に記載の方法。
【請求項２２】
前記性能測定値が、前記ネットワークのネットワークマネージャ（ＮＭ）、前記ネットワークのＶＮＦマネージャ、又は前記ネットワークの要素マネージャによって受信され、前記性能測定値が、ネットワーク仮想機能オーケストレータ（ＮＦＶオーケストレータ）に転送され、前記ＮＦＶオーケストレータが、前記性能測定値のうちの少なくとも１つが少なくとも１つの所定のしきい値を超えるかどうかを判定する、請求項１９に記載の方法。
【請求項２３】
前記ＭＭＥプールが、少なくとも１つの物理ＭＭＥネットワーク要素を備え、前記方法が、１つ又は複数のＵＥを前記物理ＭＭＥネットワーク要素から前記ＭＭＥ  ＶＮＦにリバランスするステップをさらに備える、請求項１９に記載の方法。
【請求項２４】
前記性能測定値のうちの少なくとも１つが少なくとも１つの所定のしきい値を下回る場合に、前記ＭＭＥ  ＶＮＦを終了するステップをさらに備える、請求項１９に記載の方法。
【請求項２５】
モビリティ管理エンティティ（ＭＭＥ）プールを有するネットワークにおいて資源を管理してロードバランシングを実行する方法であって、
ＭＭＥ仮想ネットワーク機能（ＭＭＥ  ＶＮＦ）の性能測定値を受信するステップと、
前記性能測定値のうちの少なくとも１つが少なくとも１つの所定のしきい値を超える場合に、新たなＭＭＥ  ＶＮＦをスケールアウトする要求を送信するステップと、
前記要求に応答して前記新たなＭＭＥ  ＶＮＦをインスタンス化するステップと、
前記ＭＭＥプールによって管理される１つ又は複数のユーザ機器（ＵＥ）デバイスを前記新たなＭＭＥ  ＶＮＦに接続するステップと
を備える、方法。
【請求項２６】
請求項１９から２５のいずれか一項に記載の方法を実行する手段を備える、装置。
【請求項２７】
実行されたときに、請求項１９乃至２５の１項記載の方法を実施する機械可読命令を含む、コンピュータプログラム。
【請求項２８】
実行されたときに、請求項１９乃至２５の１項記載の方法を実施する機械可読命令を含むコンピュータプログラムを記憶した、機械可読記憶媒体。
【発明の詳細な説明】
【背景技術】
【０００１】
関連出願の相互参照
本願は、２０１４年８月７日出願の米国仮出願第６２／０３４７０７号（整理番号Ｐ７１２４３Ｚ）の利益、及び２０１４年８月１５日出願の米国仮出願第６２／０３７９９８号（整理番号Ｐ７１４５０Ｚ）の利益を主張するものである。上記の出願第６２／０３４７０７号及び第６２／０３７９９８号は、参照によりその全体が本明細書に組み込まれる。
【０００２】
第３世代パートナシッププロジェクト（３ＧＰＰ）標準に従って動作するネットワークでは、モビリティ管理エンティティ（ＭＭＥ）機能のロードバランシング及びリバランシングを実施して、ＭＭＥプール内のＭＭＥ同士の間でＵＥ−ＭＭＥ接続が一様に分布するように、ＭＭＥプールエリアに進入するユーザ機器（ＵＥ：User  Equipment）が適当なＭＭＥに導かれることを保証することができる。ＭＭＥプール内のＭＭＥの数は静的であるので、ネットワークに進入するＵＥの数が増え続けると、ＭＭＥがオーバロードになる可能性がある。ＭＭＥのオーバロード制御機構は、非アクセス層（ＮＡＳ）シグナリングを使用して、加入者へのサービス劣化を生じる可能性があるＵＥからのＮＡＳ要求を拒絶する。
【０００３】
請求する主題は、特に、本明細書の結論部分で指摘され、明白に請求される。ただし、この主題は、以下の詳細な説明を添付の図面とともに参照することにより、理解することができる。
【図面の簡単な説明】
【０００４】
【図１】１つ又は複数の実施形態による混合ネットワークにおけるモビリティ管理エンティティ（ＭＭＥ）の仮想化ネットワーク機能（ＶＮＦ）のインスタンス化及び終了を示す図である。
【図２】１つ又は複数の実施形態による、モビリティ管理エンティティ（ＭＭＥ）の仮想化ネットワーク機能（ＶＮＦ）のインスタンスのスケールアウト及びスケールイン、又はスケールアップ及びスケールダウンを示す図である。
【図３】１つ又は複数の実施形態による、仮想化ネットワーク機能（ＶＮＦ）マネージャ（ＶＮＦＭ）によって開始されるスケールアウトを示す図である。
【図４】１つ又は複数の実施形態による、仮想化ネットワーク機能（ＶＮＦ）マネージャ（ＶＮＦＭ）によって開始されるスケールインを示す図である。
【図５】１つ又は複数の実施形態による、ＥＭによって開始されるスケールアウトを示す図である。
【図６】１つ又は複数の実施形態による、ＥＭによって開始されるスケールインを示す図である。
【図７】１つ又は複数の実施形態による、仮想化ネットワーク管理機能を実施することができる情報ハンドリングシステムを示すブロック図である。
【図８】１つ又は複数の実施形態による、任意選択でタッチスクリーンを含むことができる図７の情報ハンドリングシステムを示す等角図である。
【図９】１つ又は複数の実施形態による、ワイヤレスデバイスのブロック図である。
【発明を実施するための形態】
【０００５】
説明を簡潔及び／又は明瞭にするために、図面に図示される要素は、必ずしも原寸に比例して描かれていないことは理解されるであろう。例えば、一部の要素の寸法が、明瞭にするために、他の要素より強調されていることもある。さらに、適当と考えられる場合には、これらの図面では、対応する、及び／又は類似する要素を示すために参照番号が繰り返し使用されている。
【０００６】
以下の詳細な説明には、請求する主題が完全に理解されるように、多数の具体的な詳細が記載されている。ただし、請求する主題は、これらの具体的な細部がなくても実施され得ることは、当業者には理解されるであろう。その他、周知の方法、手順、構成要素、及び／又は回路は、詳細には説明されていない。
【０００７】
以下の説明及び／又は特許請求の範囲では、「結合された（coupled）」及び／又は「接続された(connected)」という用語、並びにその派生語が使用されることがある。特定の実施形態では、「接続された」は、２つ以上の要素が物理的及び／又は電気的に互いに直接接触していることを示すために使用されることがある。「結合された」は、２つ以上の要素が、物理的及び／又は電気的に直接接触していることを意味することがある。ただし、「結合された」は、２つ以上の要素が互いに直接接触していない可能性があるが、それでも互いに協調及び／又は相互作用する可能性はあることを意味することもある。例えば、「結合された」は、２つ以上の要素が、互いに接触はしていないが、別の要素又は中間要素を介して間接的に結びつけられていることを意味することもある。最後に、以下の説明及び特許請求の範囲では、「…上（on）」、「…に重なって（overlaying）」、及び「…の上（over）」という用語が使用されることがある。「…上」、「…に「…に重なって」、「…の上」は、２つ以上の要素が互いに物理的に直接接触していることを示すために使用されることもある。ただし、「…の上」は、２つ以上の要素が互いに直接接触していないことを意味することもある。例えば、「…の上」は、１つの要素が別の要素の上方にあるが、互いに接触はしておらず、１つ又は複数の他の要素がその２つ要素の間にある可能性もあることを意味することもある。さらに、「及び／又は（and/or）」という用語は、「及び（and）」の意味であり、「又は（or）」の意味であり、「排他的論理和」の意味であり、「１」の意味であり、「全て」ではなく「いくつか」の意味であり、「どらでもない」の意味であり、及び／又は「両方」の意味である可能性があるが、請求する主題の範囲は、この点で限定されることはない。以下の説明及び／又は特許請求の範囲では、「備える（comprise）」及び「含む（include）」という用語、並びにそれらの派生語が使用されることもあるが、それらは互いの同義語として意図されている。
【０００８】
次に図１を参照して、１つ又は複数の実施形態による混合ネットワークにおけるモビリティ管理エンティティ（ＭＭＥ：Mobility  Management  Entity）の仮想化ネットワーク機能（ＶＮＦ：Virtualized  Network  Function）のインスタンス化及び終了を示す図について説明する。本明細書では、例示を目的としてＭＭＥのＶＮＦについて述べるが、ネットワーク１００の他のネットワーク要素は、ＭＭＥの他に、例えばサービングゲートウェイ（Ｓ−ＧＷ）、パケットデータネットワークゲートウェイ（Ｐ−ＧＷ）、ポリシー及び課金ルール機能（ＰＣＲＦ）、インターネットプロトコルマルチメディアサブシステム（ＩＭＳ）などの仮想化ネットワーク機能として実施することもでき、請求する主題の範囲は、この点で限定されることはない。図１に示すように、ネットワーク１００は、レガシーネットワークマネージャ（ＮＭ：Network  Manager）１１２とネットワーク機能仮想化（ＮＦＶ）ネットワークマネージャ（ＮＭ）１１４とを備える混合ネットワークマネージャ（ＮＭ）１１０を含み得る。混合ネットワークマネージャ１１０は、エンドユーザ機能のパッケージに、それぞれのドメインマネージャ、すなわちドメインマネージャ（ＤＭ）１２０及びドメインマネージャ（ＤＭ）１２２にそれぞれ配置された要素マネージャ（ＥＭ）１１６及び要素マネージャ（ＥＭ）１１８などの要素マネージャによってサポートされる、ＮＦＶ  ＮＭ１１４によって管理される仮想化ネットワーク機能、及びレガシーＮＭ１１２によって管理される非仮想化ネットワーク機能を有するネットワーク要素を含むことができるネットワーク１００の管理責任を与える。いくつかの実施形態では、混合ネットワークマネージャ（ＮＭ）１１０は、ネットワーク１００のネットワーク要素への直接アクセスも有することができる。１つ又は複数の実施形態では、ネットワーク１００との通信は、少なくとも部分的には、マルチテクノロジネットワーク要素をサポートする標準的なインタフェース及びシステムに基づいて行うことができるが、請求する主題の範囲は、この点で限定されることはない。
【０００９】
１つ又は複数の実施形態では、ネットワーク１００は、第３世代パートナシッププロジェクト（３ＧＰＰ）標準に準拠して動作して３ＧＰＰ  ＳＡ５管理フレームワークを提供することができ、ネットワーク機能仮想化（ＮＦＶ：Network  Functions  Virtualization）管理及びオーケストレーション（ＭＡＮＯ）標準などの欧州電気通信標準化機構（ＥＴＳＩ）標準に準拠して動作してライフサイクル管理をサポートし、需要に応じて、及び／又はロードバランシングを行うために、１つ又は複数の仮想化ネットワーク機構（ＶＮＦ）のインスタンスを動的にインスタンス化、終了、スケールイン（scale  in）、スケールアウト（scale  out）、スケールアップ（scale  up）、及び／又はスケールダウン（scale  down）することができる。本明細書で述べる「インスタンス化」は、ネットワーク１００のモビリティ管理エンティティ（ＭＭＥ）のＶＮＦなどの仮想化ネットワーク機能（ＶＮＦ）を実施することができる仮想マシンを始動又は実行することを意味し、「終了」は、この仮想マシンを閉じる、又はその実行を停止させることを意味する。本明細書で述べる「スケールアウト」は、ネットワーク１００上で既に動作している１つ又は複数の仮想マシンに加えてＶＮＦを実施することができる１つ又は複数の追加の仮想マシンを追加又は実行すること、すなわちネットワーク１００上で実行される仮想マシンの数を増加させることを意味し、「スケールイン」は、１つ又は複数のこのような仮想マシンを除去する、又はその実行を停止すること、すなわちネットワーク１００上で実行される仮想マシンの数を減少させることを意味する。本明細書で述べる「スケールアップ」は、ネットワーク１００上で実行される１つ又は複数の仮想マシンをサポートする計算資源、メモリ資源、記憶資源、及び／又はネットワーキング資源などの１つ又は複数のハードウェア資源を追加することを意味し、「スケールダウン」は、１つ又は複数のこのようなハードウェア資源をネットワーク１００上で実行される１つ又は複数の仮想マシンをサポートすることから除去することを意味する。ただし、これらは単なる定義例であり、本明細書で述べるように、他のバリエーション又は定義が与えられることもあり、及び／又はそうしたバリエーション又は定義は当業者なら理解することができ、請求する主題の範囲は、この点で限定されることはない。
【００１０】
図１に示すように、モビリティ管理エンティティ（ＭＭＥ）の仮想化ネットワーク機能（ＶＮＦ）１２４は、混合ネットワークＮＭ１１０を用いてネットワーク１００でインスタンス化又は終了され得、このネットワーク１００では、例えばＮＦＶを実施するネットワークが完全に配備される前には、非仮想化ＭＭＥのネットワーク要素（ＭＭＥ  ＮＥ）が、ＭＭＥ  ＶＮＦと同じＭＭＥプールに並置される可能性がある。図１に示すように、ＭＭＥ  ＶＮＦ１２４は、ネットワーク１００でインスタンス化され得、このネットワーク１００では、非仮想化ＭＭＥのネットワーク要素ＭＭＥ  ＮＥ１２６が、ＭＭＥ  ＶＮＦ１２４と並置され、例えばネットワーク機能仮想化（ＮＦＶ）の管理及びオーケストレーション（ＭＡＮＯ）などの欧州電気通信標準化機構（ＥＴＳＩ）の標準によるＶＮＦインスタンス化フローと整列されるが、請求する主題の範囲は、この点で限定されることはない。このような構成で、以下のようなアクションが実行され得る。以下に記載されるアクションの１つの特定の順序及びアクションの数は、例示を目的として述べられているものであり、その他のアクションの順序及びアクションの数も実施され得ること、並びに請求する主題の範囲は、この点で限定されることはないことに留意されたい。混合ネットワークＮＭ１１０のレガシーＮＭ１１２は、非仮想化ＭＭＥのネットワーク要素ＭＭＥ  ＮＥ１２６の例えば３ＧＰＰ仕様によるＭＭＥプロセッサ使用及びＳ１−ＭＭＥデータボリュームの測定値を、ＥＭ１１６から受信する。ＭＭＥ  ＮＥ１２６は、ｅＮＢ１２８、ｅＮＢ１３０、及び／又はｅＮＢ１３２など、１つ又は複数の進化型ノードＢ（ｅＮＢ）ネットワーク要素を管理している可能性があり、これらのｅＮＢネットワーク要素は、１つ又は複数のユーザ機器（ＵＥ）ネットワーク要素（図示せず）にサービスしている可能性があり、そのユーザ機器（ＵＥ）ネットワーク要素は、様々なｅＮＢ及び／又はＵＥからの使用及びローディングに基づいて、測定されたＭＭＥプロセッサ使用及びＳ１−ＭＭＥデータボリュームを、ＭＭＥ  ＮＥ１２６に対して提示することができることに留意されたい。混合ネットワークＮＭ１１０が、ＭＭＥプロセッサ使用又はＳ１−ＭＭＥデータボリュームのカウンタが１つ又は複数の所定のしきい値を上回ることを検出したときに、混合ネットワークＮＭ１１０は、ＭＭＥ  ＶＮＦ１２４など新たなＭＭＥ  ＶＮＦをインスタンス化する要求をＮＶＦオーケストレータ（ＮＦＶＯ）１３４に要求を送信する。代替の実施形態では、混合ネットワークＮＭ１１０は、測定値をＮＦＶＯ１３４に転送し、いつ新たなＭＭＥ  ＶＮＦがインスタンス化されるべきかをＮＦＶＯ１３４に判断させることもできる。
【００１１】
１つ又は複数の実施形態では、ＮＦＶＯ１３４、ＶＮＦマネージャ１３６、及び仮想化インフラストラクチャマネージャ（ＶＩＭ）１３８は、ＥＴＳＩ標準によるＮＦＶ管理及びオーケストレーション（ＮＦＶ−ＭＡＮＯ）１４０の一部であり得るが、請求する主題の範囲は、この点で限定されることはない。このような実施形態では、ＶＩＭ１３８は、ネットワーク要素物理ハードウェア１４４及び仮想化レイヤ１４６を備えるＮＦＶインフラストラクチャ（ＮＦＶＩ）１４２に結合することができる。ネットワーク要素物理ハードウェア１４４は、例えば１つ又は複数の商用オフザシェル（ＣＯＴＳ）サーバなどによって実現される計算及び／又は処理ハードウェア、記憶ハードウェア、並びに／或いはネットワーキングハードウェアを備えることができる。仮想化レイヤ１４６は、例えば仮想マシン管理ソフトウェア及び／又はハイパーバイザソフトウェアなど、ネットワーク要素物理ハードウェア１４４上で実行される仮想化ソフトウェアを備えることができる。ＭＭＥ  ＶＮＦ１２４は、仮想化レイヤ１４６によって管理されるネットワーク要素物理ハードウェア１４４上で実行されるソフトウェア又は命令を備えることができる。これらは、単にＮＦＶＩ１４２及びＭＭＥ  ＶＮＦ１２４の実施態様例に過ぎず、請求する主題の範囲は、この点で限定されることはないことに留意されたい。
【００１２】
ＮＦＶＯ１３４は、送信側認可及び／又はインスタンス化パラメータを検査することによって要求を妥当性検査し、実現可能性検査を実行することができる。要求の妥当性検査が成功した場合には、ＮＦＶＯ１３４は、ＶＮＦマネージャ（ＶＮＦＭ）１３５を呼び出して、ＭＭＥ  ＶＮＦ１２４をインスタンス化する。ＶＮＦＭ１３６は、要求を妥当性検査し、インスタンス化パラメータを処理する。ＶＮＦＭ１３６は、次いで、資源割当てを求める要求をＮＦＶＯ１３４に送信する。ＮＦＶＯ１３４は、任意の必要な資源事前割当てを実行し、次いで、資源割当てを求める要求を仮想化インフラストラクチャマネージャ（ＶＩＭ）１３８に送信する。例えば、ＭＭＥプロセッサ使用カウンタが所定のしきい値を上回る場合には、ＶＩＭ１３８は、より多くの計算及び記憶資源を割り当てる。Ｓ１−ＭＭＥデータボリュームカウンタが所定のしきい値を上回る場合には、ＶＩＭ１３８は、より多くのネットワーキング容量を割り当てる。
【００１３】
資源割当てを求める要求に応答して、ＶＩＭ１３８は、要求された計算、記憶、及び／又はネットワーキング資源を割り当て、肯定応答をＮＦＶＯ１３４に送信する。ＮＦＶＯ１３４は、肯定応答をＶＮＦＭ１３６に送信して、資源割当てが完了したことを示す。ＶＮＦＭ１３６は、次いで、ＭＭＥ  ＶＮＦ１２４をインスタンス化し、任意のＭＭＥ  ＶＮＦに固有のライフサイクルパラメータを用いてＭＭＥ  ＶＮＦ１２４を構成する。ＶＮＦＭ１３６は、ＥＭ１１８に、新たなＭＭＥ  ＶＮＦ１２４を通知する。ＥＭ１１８は、次いで、ＭＭＥ動作に必要な情報を用いてＭＭＥ  ＶＮＦ１２４を構成する。ＶＮＦＭ１３６は、ＮＦＶＯ１３４に対して、ＭＭＥ  ＶＮＦ１２４のインスタンス化が完了したことを肯定応答する。ＮＦＶＯ１３４は、混合ネットワークＮＭ１１０に対して、ＭＭＥ  ＶＮＦ１２４のインスタンス化が完了したことを肯定応答する。混合ネットワークＮＭ１１０は、新たなＭＭＥ  ＶＮＦ１２４をＭＭＥプールに追加し、この新たなＭＭＥ  ＶＮＦ１２４についてＭＭＥ  ＮＥ１２６に通報することによって、非仮想化ＭＭＥのネットワーク要素ＭＭＥ  ＮＥ１２６のＥＭ１１６及びＭＭＥ  ＶＮＦ１２４のＥＭ１１８を構成する。ＭＭＥ  ＮＥ２６は、次いで、例えば３ＧＰＰ仕様による、ＵＥにトラッキングエリア更新を実行してＭＭＥ  ＶＮＦ１２４に接続することを要求する解放理由「ロードバランシングＴＡＵが必要」によってＳ１解放手順を開始することにより、ＥＣＭ−ＣＯＮＮＥＣＴＥＤモードのＵＥをＭＭＥ  ＶＮＦ１２４にオフロードするが、請求する主題の範囲は、この点で限定されることはない。
【００１４】
１つ又は複数の実施形態では、ＭＭＥ  ＶＮＦ１２４は、混合ネットワークである図１のネットワーク１００で終了され得、以下の処理を実施することによって、ＮＦＶ−ＭＡＮＯ１４０におけるＶＮＦインスタンス終了と整列され得る。混合ネットワークＮＭ１１０は、非仮想化ＭＭＥ、ＭＭＥ  ＮＥ１２６、及びＭＭＥ  ＶＮＦ１２４のＭＭＥプロセッサ使用カウンタ及びデータボリュームカウンタの測定値を、ＥＭ１１６及びＥＭ１１８から受信する。混合ネットワークＮＭ１１０は、ＭＭＥ  ＮＥ１２６及びＭＭＥ  ＶＮＦ１２４の両方のＭＭＥプロセッサ使用又はデータボリュームの測定値を解析することによってＭＭＥ  ＶＮＦ１２４が終了され得ると判定し、ＭＭＥ  ＶＮＦ１２４の終了を開始する要求をＮＦＶＯ１３４に送信する。代替の実施形態では、混合ネットワークＮＭ１１０は、これらの測定値をＮＦＶＯ１３４に転送し、ＭＭＥ  ＶＮＦ１２４がいつ終了されるべきかをＮＦＶＯ１３４に判断させることもできる。ＮＦＶＯ１３４は、送信側認可を検査し、ＭＭＥ  ＶＮＦ１２４のインスタンスの存在を検証することによって、この要求を妥当性検査する。要求の妥当性検査が成功した場合には、ＮＦＶＯ１３４は、ＶＮＦＭ１３６を呼び出して、ＭＭＥ  ＶＮＦ１２４のインスタンスを終了する。ＶＮＦＭ１３６は、ＶＮＦインスタンスを終了する要求をＭＭＥ  ＶＮＦ１２４に送信する。これに応答して、ＭＭＥ  ＶＮＦ１２４は、ＵＥにトラッキングエリア更新を実行してＭＭＥ  ＮＥ１２６に接続することを要求する解放理由「ロードバランシングＴＡＵが必要」によってＳ１解放手順を開始することにより、ＥＣＭ−ＣＯＮＮＥＣＴＥＤモードのＵＥをＭＭＥ  ＮＥ１２６にオフロードする。全てのＵＥがＭＭＥ  ＮＥ１２６にオフロードされた後で、ＭＭＥ  ＶＮＦ１２４は、ＶＮＦＭ１３６に通知を送信して、ＭＭＥ  ＶＮＦインスタンスが終了していることを示す。ＶＮＦＭ１３６は、ＮＦＶＯに肯定応答を送信して、ＭＭＥ  ＶＮＦ１２４のインスタンスの終了が完了したことを示す。ＮＦＶＯ１３４は、資源を解放する要求をＶＩＭ１３８に送信する。ＶＩＭ１３８は、ネットワーキング、計算、及び／又は記憶資源を削除し、肯定応答をＮＦＶＯ１３４に送信して、資源の割当て解除が完了したことを示す。ＮＦＶＯ１３４は、混合ネットワークＮＭ１１０に対して、ＭＭＥ  ＶＮＦインスタンスの終了の完了を肯定応答する。混合ネットワークＮＭ１１０は、ＭＭＥ  ＮＥ１２６のＥＭ１１６、及びＭＭＥ  ＶＮＦインスタンスが終了しているＭＭＥ  ＶＮＦ１２４のＥＭ１１８を構成する。
【００１５】
次に図２を参照して、１つ又は複数の実施形態による、モビリティ管理エンティティ（ＭＭＥ）仮想化ネットワーク機能（ＶＮＦ）インスタンスのスケールアウト及びスケールイン、又はスケールアップ及びスケールダウンを示す図について説明する。図２に示す実施形態は、ネットワーク機能仮想化ネットワークマネージャ（ＮＦＶ  ＮＭ）１１４が例えばＭＭＥ  ＶＮＦプロセッサ使用カウンタ又はデータボリュームカウンタなどのしきい値超過事象によってＭＭＥ  ＶＮＦ１２４のインスタンスがオーバロードしたことを検出したときに、どのようにしてモビリティ管理エンティティ仮想化ネットワーク機能（ＭＭＥ  ＶＮＦ）１２４のインスタンスがスケールアウトされ得、ＥＴＳＩ  ＮＦＶ−ＭＡＮＯ１４０におけるＶＮＦインスタンススケーリングフローと整列されるかを示している。既存の３ＧＰＰ管理フレームワークへの影響を最小限に抑えるために、このような実施形態では、ＭＭＥ  ＶＮＦ１２４のスケーリングのインスタンスは、ＶＮＦプロセッサ使用カウンタ又はデータボリュームカウンタが１つ又は複数の所定のしきい値を上回ることをＮＦＶ  ＮＭ１１４が検出したときに、トリガされるものと想定され得る。
【００１６】
１つ又は複数の実施形態では、ＭＭＥ  ＶＮＦ１２４のインスタンスのスケールアウトは、以下のようになり得る。第１のインスタンス、ＭＭＥ  ＶＮＦ（インスタンス１）１２４は、モニタ機能を埋め込んでＶＮＦ性能を測定することができ、この測定値を要素マネージャ（ＥＭ）１１６に送信する。ＥＭ１１６は、ＭＭＥ  ＶＮＦプロセッサ使用カウンタ及び／又はデータボリュームカウンタなどの測定値を受信し、これらの測定値をＮＦＶ  ＮＭ１１４に送信されるタイプ２メッセージフォーマットに変換する。これらの測定値が１つ又は複数の所定のしきい値を上回ることをＮＦＶ  ＮＭ１１４が検出したときに、ＮＦＶ  ＮＭ１１４は、ＭＭＥ  ＶＮＦ（インスタンス２）２１２について、新たなＭＭＥ  ＶＮＦインスタンスをスケールアウトする要求をＮＦＶＯ１３４に送信する。代替の実施形態では、ＮＦＶ  ＮＭ１１４は、測定値をＮＦＶＯ１３４に転送すると判断し、いつＭＭＥ  ＶＮＦインスタンスをスケールアウトするかをＮＦＶＯ１３４に判断させることもできる。ＮＦＶＯ１３４は、ポリシーコンフォーマンスに照らしてこの要求を妥当性検査する。要求の妥当性検査が成功した場合には、ＮＦＶＯ１３４は、スケールアウト要求をＶＮＦＭ１３６に送信する。ＶＮＦＭ１３６は、任意の必要な準備作業を実行し、次いで、新たなＭＭＥ  ＶＮＦインスタンスであるＭＭＥ  ＶＮＦ（インスタンス２）２１２をサポートするための資源を割り当てる要求をＮＦＶＯ１３４に送信する。ＮＦＶＯ１３４は、任意の必要な資源事前割当てを実行し、次いで、資源割当てを求める要求をＶＩＭ１３８に送信する。ＶＩＭ１３８は、要求された計算、記憶、及び／又はネットワーキング資源を割り当て、肯定応答をＮＦＶＯ１３４に送信する。ＮＦＶＯ１３４は、肯定応答をＶＮＦＭ１３６に送信して、資源割当てが完了したことを示す。
【００１７】
ＶＮＦＭ１３６は、ＭＭＥ  ＶＮＦ（インスタンス２）２１２をインスタンス化し、任意のＭＭＥ  ＶＮＦに固有のライフサイクルパラメータを用いてＭＭＥ  ＶＮＦ（インスタンス２）を構成する。ＶＮＦＭ１３６は、この新たなＭＭＥ  ＶＮＦ（インスタンス２）２１２をＥＭ１１６に通知する。ＥＭ１１６は、次いで、ＭＭＥ  ＶＮＦインスタンスの動作に必要な情報を用いてＭＭＥ  ＶＮＦ（インスタンス２）２１２を構成する。ＶＮＦＭ１３６は、ＭＭＥ  ＶＮＦ（インスタンス２）２１２のインスタンス化が完了しているとＮＦＶＯ１３４に肯定応答する。ＮＦＶＯ１３４は、ＭＭＥ  ＶＮＦ（インスタンス２）２１２のインスタンス化が完了しているとＮＦＶ  ＮＭ１１４に肯定応答する。ＮＦＶ  ＮＭ１１４は、この新たなＭＭＥ  ＶＮＦ（インスタンス２）２１２をＭＭＥプールに追加し、この新たなＭＭＥ  ＶＮＦ（インスタンス２）２１２についてＭＭＥ  ＶＮＦ（インスタンス１）１２４に通報することによって、ＥＭ１１６を構成する。ＭＭＥ  ＶＮＦ（インスタンス１）１２４は、ＵＥにトラッキングエリア更新を実行してＭＭＥ  ＶＮＦ（インスタンス２）２１２に接続することを要求する解放理由「ロードバランシングＴＡＵが必要」によってＳ１解放手順を開始することにより、ＥＣＭ−ＣＯＮＮＥＣＴＥＤモードのＵＥをＭＭＥ  ＶＮＦ（インスタンス１）１２４にオフロードする。
【００１８】
別の実施形態では、ＭＭＥ  ＶＮＦインスタンスは、例えばＭＭＥ  ＶＮＦプロセッサ使用カウンタ及び／又はデータボリュームカウンタなどのしきい値超過事象の通知によってＭＭＥ  ＶＮＦインスタンスがオーバロードしていないことをＮＦＶ  ＮＭ１１４が検出したときにスケールインされ得、ＥＴＳＩ  ＮＦＶ−ＭＡＮＯ１４０におけるＶＮＦインスタンススケーリングフローと整列される。ＭＭＥ  ＶＮＦインスタンスのスケールインのプロセスは、以下のようになり得る。ＭＭＥ  ＶＮＦ（インスタンス１）１２４及びＭＭＥ  ＶＮＦ（インスタンス２）２１２は、モニタ機能を埋め込んでＶＮＦ性能を測定し、この測定値をＥＭ１１６に送信することができる。ＥＭ１１６は、ＭＭＥ  ＶＮＦプロセッサ使用カウンタ及び／又はデータボリュームカウンタなどの測定値を受信し、これらの測定値をＮＦＶ  ＮＭ１１４に送信されるタイプ２メッセージフォーマットに変換する。これらの測定値が１つ又は複数の所定のしきい値を下回ることをＮＦＶ  ＮＭ１１４が検出したときに、ＮＦＶ  ＮＭ１１４は、ＭＭＥ  ＶＮＦ（インスタンス２）２１２をスケールインする要求をＮＦＶＯ１３４に送信し、単一のＭＭＥ  ＶＮＦインスタンスがネットワーク１００のＵＥをサポートすることができる。代替の実施形態では、ＮＦＶ  ＮＭ１１４は、測定値をＮＦＶＯ１３４に転送し、いつＭＭＥ  ＶＮＦをスケールインするかをＮＦＶＯ１３４に判断させることもできる。ＮＦＶＯ１３４は、ポリシーコンフォーマンスに照らしてこの要求を妥当性検査する。要求の妥当性検査が成功した場合には、ＮＦＶＯ１３４は、スケールイン要求をＶＮＦＭ１３６に送信する。ＶＮＦＭ１３６は、ＭＭＥ  ＶＮＦ（インスタンス２）２１２を除去する要求をＭＭＥ  ＶＮＦ（インスタンス２）２１２に送信する。ＭＭＥ  ＶＮＦ（インスタンス２）２１２は、ＵＥにトラッキングエリア更新を実行してＭＭＥ  ＶＮＦ（インスタンス１）１２４に接続することを要求する解放理由「ロードバランシングＴＡＵが必要」によってＳ１解放手順を開始することにより、ＥＣＭ−ＣＯＮＮＥＣＴＥＤモードのＵＥをＭＭＥ  ＶＮＦ（インスタンス１）１２４にオフロードする。ＭＭＥ  ＶＮＦ（インスタンス２）２１２は、全てのＵＥがＭＭＥ  ＶＮＦ（インスタンス１）１２４にオフロードされたことを検出し、ＶＮＦＭ１３６に通知を送信して、ＭＭＥ  ＶＮＦ（インスタンス２）２１２が除去されていることを示す。ＶＮＦＭ１３６は、ＮＦＶＯ１３４に肯定応答を送信して、ＭＭＥ  ＶＮＦ（インスタンス２）２１２の除去が完了したことを示す。ＮＦＶＯ１３４は、ＭＭＥ  ＶＮＦ（インスタンス２）２１２に関連付けられた資源を解放する要求をＶＩＭ１３８に送信する。ＶＩＭ１３８は、ネットワーク接続、計算、及び／又は記憶資源を削除し、肯定応答をＮＦＶＯ１３４に送信して、資源割当て解除が完了したことを示す。ＮＦＶＯ１３４は、ＮＦＶ  ＮＭ１１４に対して、ＭＭＥ  ＶＮＦ（インスタンス２）２１２の除去が完了したことを肯定応答する。ＮＦＶ  ＮＭ１１４は、ＭＭＥ  ＶＮＦ（インスタンス２）２１２が終了されているＥＭ１１６を構成する。
【００１９】
１つ又は複数の実施形態では、ＭＭＥ  ＶＮＦインスタンスは、ネットワーク１００に接続するＵＥにサービスするＭＭＥ  ＶＮＦの必要に応じて、資源をスケールアップ及びスケールダウンすることができる。この構成は、ＥＴＳＩ  ＮＦＶ−ＭＡＮＯ１４０におけるＶＮＦインスタンススケーリングフローと整列される。既存の３ＧＰＰ管理フレームワークへの影響を最小限に抑えるために、１つ又は複数の実施形態では、ＭＭＥ  ＶＮＦインスタンスのスケーリングは、ＶＮＦプロセッサ使用カウンタ及び／又はデータボリュームカウンタが所定のしきい値を上回る、又は下回ることをＮＦＶ  ＮＭ１１４が検出したときに、トリガされ得る。ＭＭＥ  ＶＮＦインスタンスのスケールアップ及びスケールダウンのプロセスは、以下のようになり得る。ＭＭＥ  ＶＮＦ１２４は、モニタ機能を埋め込んでＶＮＦ性能を測定し、次いで、この測定値をＥＭ１１６に送信する。ＥＭ１１６は、例えばＭＭＥ  ＶＮＦプロセッサ使用カウンタ及び／又はデータボリュームカウンタなどのＶＮＦ測定値を受信し、これらをＮＦＶ  ＮＭ１１４に送信されるタイプ２メッセージフォーマットに変換する。これらの測定値が１つ又は複数の所定のしきい値を上回る、又は下回ることをＮＦＶ  ＮＭ１１４が検出したときに、ＮＦＶ  ＮＭ１１４は、ＶＮＦ資源をスケールアップ又はスケールダウンする要求をＮＦＶＯ１３４に送信する。代替の実施形態では、ＮＦＶ  ＮＭ１１４は、測定値をＮＦＶＯ１３４に転送すると判断し、いつＭＭＥ  ＶＮＦ（インスタンス１）１２４などのＭＭＥ  ＶＮＦをスケールアップ又はスケールダウンするかをＮＦＶＯ１３４に判断させることもできる。ＮＦＶＯ１３４は、ポリシーコンフォーマンスに照らしてこの要求を妥当性検査する。要求の妥当性検査が成功した場合には、ＮＦＶＯ１３４は、スケーリング要求をＶＮＦＭ１３６に送信する。ＶＮＦＭ１３６は、任意の必要な準備作業を実行し、次いで、資源割当てを求める要求をＮＦＶＯ１３４に送信する。ＮＦＶＯ１３４は、割り当てる、又は解放する要求をＶＩＭ１３８に送信する。例えば、測定値が所定のしきい値を上回る場合には、ＶＩＭ１３８は、ネットワーキング、計算、及び／又は記憶資源を増加させる。測定値が所定のしきい値を下回る場合には、ＶＩＭ１３８は、ネットワーキング、計算、及び／又は記憶資源を減少させる。しきい値は、しきい値での、又はしきい値付近でのスケールアップ及びスケールダウンのピンポン効果を防止するように適切に設定されなければならない。例えば、資源を増加させるためのしきい値は、資源を減少させるためのしきい値とは異なる値を有することができるが、請求する主題の範囲は、この点で限定されることはない。
【００２０】
ＶＩＭ１３８は、スケールアップ又はスケールダウン要求のそれぞれに応じて、ＭＭＥ  ＶＮＦ１２４のネットワーキング、計算、及び記憶資源を増加又は減少させ、肯定応答をＮＦＶＯ１３４に送信する。ＮＦＶＯ１３４は、肯定応答をＶＮＦＭ１３６に送信して、資源調整が完了したことを示す。ＶＮＦＭ１３６は、このスケーリング要求に応じてＭＭＥ  ＶＮＦ１２４を構成する。ＶＮＦＭ１３６は、ＮＦＶＯ１３４に対して、ＭＭＥ  ＶＮＦインスタンスのスケールアップ／スケールダウンの完了を肯定応答する。ＮＦＶＯ１３４は、ＮＦＶ  ＮＭ１１４に対して、ＭＭＥ  ＶＮＦインスタンスのスケールアップ／スケールダウンの完了を肯定応答する。ＮＦＶ  ＮＭ１１４は、ＭＭＥ  ＶＮＦ１２４の調整済みの資源を用いてＥＭ１１６を構成する。ＭＭＥ  ＶＮＦ１２４は、例えば３ＧＰＰ仕様による「ＭＭＥ  ＣＯＮＦＩＧＵＲＡＴＩＯＮ  ＵＰＤＡＴＥ」メッセージ中の「相対ＭＭＥ容量」ＩＥによって、調整済みの資源に応じて新たな重み因子でＭＭＥ  ＶＮＦ１２４に接続されたｅＮＢ１２８、ｅＮＢ１３０、及び／又はｅＮＢ１３２など全てのｅＮＢを更新するが、請求する主題の範囲は、この点で限定されることはない。
【００２１】
次に図３を参照して、１つ又は複数の実施形態による仮想化ネットワーク機能（ＶＮＦ）マネージャ（ＶＮＦＭ）によって開始されるスケールアウトを示す図について説明する。図１に示すように、ＭＭＥ  ＶＮＦ（インスタンス１）１２４は、モニタ機能を埋め込んでＶＮＦ性能メトリクスを測定し、例えばＭＭＥ  ＶＮＦプロセッサ使用カウンタ及び／又はデータボリュームカウンタなどの測定値をＶＮＦＭ１３６に送信することができる。ＶＮＦＭ１３８は、ＭＭＥプロセッサ使用カウンタ及び／又はボリュームカウンタが１つ又は複数の所定のしきい値を上回り、拡張によって対処することができる資源の欠乏があることを検出する。例えばメモリパラメータ、計算パラメータなど、ＶＮＦ記述子中に与えられるパラメータに基づいて、ＶＮＦＭ１３８は、ＮＦＶＯ１３４に拡張の許可を要求する。代替の実施形態では、ＶＮＦＭ１３８は、測定値をＮＦＶＯ１３４に転送すると判断し、いつＭＭＥ  ＶＮＦのインスタンスをスケールアウトするかをＮＦＶＯ１３４に判断させることもできる。ＮＦＶＯ１３４は、そのデータベースと突き合わせて空き資源がないか検査する。資源が利用可能である場合には、ＮＦＶＯ１３４は、任意選択の資源予約要求をＶＩＭ１３８に送出し、ＶＩＭ１３８は、要求された計算、記憶、及び／又はネットワーキング資源を割り当て、肯定応答をＮＦＶＯ１３４に送信する。ＮＦＶＯ１３４は、肯定応答をＶＮＦＭ１３６に送信して、資源割当てが完了したことを示す。ＶＮＦＭ１３６は、ＶＩＭ１３８に、例えばＶＩＭ識別子、仮想マシンのパラメータなどのＮＦＶＯ１３４によって示される１つ又は複数の仮想マシン（ＶＭ）を始動するように要求する。ＶＩＭ１３８は、ＶＭ及びその他のネットワーク資源の実行の成功を肯定応答する。ＶＮＦＭ１３６は、ＭＭＥ  ＶＮＦ（インスタンス２）２１２をインスタンス化し、任意のＭＭＥ  ＶＮＦに固有のライフサイクルパラメータでＭＭＥ  ＶＮＦ（インスタンス２）２１２を構成する。ＶＮＦＭ１３６は、この新たなＭＭＥインスタンスであるＭＭＥ  ＶＮＦ（インスタンス２）２１２をＥＭ１１６に通知する。ＥＭ２１２は、次いで、ＭＭＥ  ＶＮＦインスタンスの動作に必要な情報を用いてＭＭＥ  ＶＮＦ（インスタンス２）２１２を構成する。ＶＮＦＭ１３６は、新たなＭＭＥ  ＶＮＦインスタンスの追加の成功をＮＦＶＯ１３４に報告する。ＮＦＶＯ１３４は、この新たなＭＭＥインスタンスの記述子によってそのデータベースを更新する。ＥＭ１１６は、この新たなＭＭＥ  ＶＮＦ（インスタンス２）２１２をＮＦＶ  ＮＭ１１４に通知する。ＮＦＶ  ＮＭ１１４は、この新たなＭＭＥ  ＶＮＦ（インスタンス２）２１２のインスタンス化の成功を肯定応答する。ＥＭ１１６は、任意のアプリケーションに固有のパラメータでＭＭＥ  ＶＮＦ（インスタンス２）２１２を構成する。ＥＭ１１６は、ＭＭＥプールに追加されたこの新たなＭＭＥインスタンスであるＭＭＥ  ＶＮＦ（インスタンス２）２１２について、ＭＭＥ  ＶＮＦ（インスタンス１）１２４に通知する。ＭＭＥ  ＶＮＦ（インスタンス１）１２４は、ネットワーク１００に接続されたＵＥにトラッキングエリア更新を実行してＭＭＥ  ＶＮＦ（インスタンス２）２１２���接続することを要求する解放理由「ロードバランシングＴＡＵが必要」によってＳ１解放手順を開始することにより、ＥＣＭ−ＣＯＮＮＥＣＴＥＤモードのＵＥをＭＭＥ  ＶＮＦ（インスタンス２）２１２にオフロードする。
【００２２】
次に図４を参照して、１つ又は複数の実施形態による仮想化ネットワーク機能（ＶＮＦ）マネージャ（ＶＮＦＭ）によって開始されるスケールインを示す図について説明する。図４は、ＭＭＥ  ＶＮＦインスタンスが例えばＭＭＥ  ＶＮＦプロセッサ使用カウンタ及び／又はデータボリュームカウンタなどのしきい値超過事象に見合うように十分にロードされていないことをＶＮＦＭ１３６が検出したときに、ＭＭＥ  ＶＮＦインスタンスがどのようにスケールインされ得、ＥＴＳＩ  ＮＦＶ−ＭＡＮＯ１４０におけるＶＮＦインスタンススケーリングフローと整列されるかを示している。スケーリングの必要を検出するために必要な情報は、ＶＮＦ記述子中に与えられ得る。ＶＮＦＭ１３６によって開始されるスケールインのプロセスは、以下のようになり得る。ＭＭＥ  ＶＮＦ（インスタンス１）１２４及びＭＭＥ  ＶＮＦ（インスタンス２）は、モニタ機能を埋め込んでＶＮＦ性能メトリクスを測定し、ＭＭＥ  ＶＮＦプロセッサ使用カウンタ及び／又はデータボリュームカウンタなどの測定値をＶＮＦＭ１３６に送信することができる。ＶＮＦＭ１３６は、ＭＭＥプロセッサ使用カウンタ又はデータボリュームカウンタが１つ又は複数の所定のしきい値を下回っており、資源のスケールイン／解放を可能にし得る資源を解放する容量があることを検出する。例えばメモリ、計算など、ＶＮＦ記述子中に与えられるパラメータに基づいて、ＶＮＦＭ１３６は、ＮＦＶＯ１３４にスケールインの許可を要求する。代替の実施形態では、ＶＮＦＭ１３６は、測定値をＮＦＶＯ１３４に転送することができ、いつＭＭＥ  ＶＮＦをスケールインするかは、ＮＦＶＯ１３４が判断する。ＮＦＶＯ１３４は、そのデータベースと突き合わせて資源がないか検査し、ＶＮＦＭ１３６に対してスケールイン動作を認可する。ＶＮＦＭ１３６は、ＭＭＥ  ＶＮＦインスタンスを除去する要求をＭＭＥ  ＶＮＦ（インスタンス２）２１２に送信する。ＭＭＥ  ＶＮＦ（インスタンス２）２１２は、ＵＥにトラッキングエリア更新を実行してＭＭＥ  ＶＮＦ（インスタンス１）１２４に接続することを要求する解放理由「ロードバランシングＴＡＵが必要」によってＳ１解放手順を開始することにより、ＥＣＭ−ＣＯＮＮＥＣＴＥＤモードのＵＥをＭＭＥ  ＶＮＦ（インスタンス１）１２４にオフロードする。ＵＥがＶＮＦ（インスタンス２）２１２からＶＮＦ（インスタンス１）１２４にオフロードされた後で、ＶＮＦ（インスタンス２）２１２は、通知を送信して、ＶＮＦ（インスタンス２）２１２が除去されていることを示す。ＭＭＥ  ＶＮＦ（インスタンス２）２１２が完全にシャットダウンされた後で、ＶＮＦＭ１３６は、ＶＩＭ１３８に、全ての関連する資源を削除するように要求する。ＶＩＭ１３８は、ＭＭＥ  ＶＮＦ（インスタンス２）２１２に関連する全ての資源の除去を肯定応答する。ＶＮＦＭ１３６は、ＮＦＶＯ１３４に対して、縮小／スケールインが上手く完了したことを報告する。ＮＦＶＯ１３４は、この変化を反映するようにそのデータベースを更新する。ＶＮＦＭ１３６は、ＭＭＥ  ＶＮＦ（インスタンス２）２１２の除去についてＥＭ１１６に通知する。ＥＭ１１６は、ＭＭＥ  ＶＮＦ（インスタンス２）２１２の除去をＮＦ��  ＮＭ１１４に通知する。次いで、ＮＦＶ  ＮＭ１１４が、この変化を肯定応答する。
【００２３】
次に図５を参照して、１つ又は複数の実施形態による要素マネージャ（ＥＭ）によって開始されるスケールアウトを示す図について説明する。図５は、例えばＭＭＥ  ＶＮＦプロセッサ使用カウンタ及び／又はデータボリュームカウンタなどのしきい値超過事象によって、ＭＭＥ  ＶＮＦ（インスタンス１）１２４がオーバロードされていることをＥＭ１１６が検出したときに、ＭＭＥ  ＶＮＦインスタンスがどのようにスケールアウトされ得、ＥＴＳＩ  ＮＦＶ−ＭＡＮＯ１４０におけるＶＮＦインスタンススケーリングフローと整列されるかを示している。ＥＭ１１６は、ＭＭＥ  ＶＮＦでサポートされない場合には、性能メトリクス及びしきい値検出をモニタリングする。この場合には、スケーリングを行う判断は、ＥＭ１１６で行われ得、ＶＮＦＭ１３６に転送され得る。ＥＭによって開始されるスケールアウトのプロセスは、以下のようになり得る。ＥＭ１１６は、例えばＭＭＥ  ＶＮＦプロセッサ使用カウンタ及び／又はデータボリュームカウンタなどの性能測定値をＭＭＥ  ＶＮＦ（インスタンス１）１２４から受信する。ＥＭ１１６は、ＭＭＥプロセッサ使用カウンタ及び／又はデータボリュームカウンタが１つ又は複数の所定のしきい値を上回ることを検出し、ＶＮＦＭ１３６にスケールアウト動作を要求する。スケーリングを行う判断は、ＥＭ１１６によって、モニタリングされた性能メトリクスに基づいて行われ得る。代替の実施形態では、ＥＭ１１６は、測定値をＶＮＦＭ１３６に転送することができ、ＶＮＦＭ１３６がこれらの測定値をＮＦＶＯ１３４に送信し、ＮＦＶＯ１３４が、いつＭＭＥ  ＶＮＦを新たなインスタンスにスケールアウトするかを判断し、次いで、ＶＮＦＭ１３６に、新たなインスタンスをスケールアウトするように要求する。メモリ、計算など、ＶＮＦ記述子中に与えられるパラメータに基づいて、ＶＮＦＭ１３６は、ＮＦＶＯ１３４に拡張の許可を要求する。ＮＦＶＯ１３４は、そのデータベースと突き合わせて空き資源がないか検査する。ＮＦＶＯ１３４は、任意選択の資源予約要求をＶＩＭ１３８に送出し、ＶＩＭ１３８は、要求された計算、記憶、及び／又はネットワーキング資源を割り当て、肯定応答をＮＦＶＯ１３４に送信する。ＮＦＶＯ１３４は、肯定応答をＶＮＦＭ１３６に送信して、資源割当てが完了したことを示す。ＶＮＦＭ１３６は、ＶＩＭ１３８に、例えばＶＩＭ識別子、仮想マシンパラメータなどを使用してＮＦＶＯ１３４によって示される１つ又は複数の仮想マシン（ＶＭ）を始動するように要求する。ＶＩＭ１３８は、仮想マシン及びその他のネットワーク資源の実行の成功を肯定応答する。ＶＮＦＭ１３６は、ＭＭＥ  ＶＮＦ（インスタンス２）２１２をインスタンス化し、任意のＭＭＥ  ＶＮＦに固有のライフサイクルパラメータでＭＭＥ  ＶＮＦ（インスタンス２）２１２を構成する。ＶＮＦＭ１３６は、ＥＭ１１６に対して、新たなＭＭＥ  ＶＮＦ（インスタンス２）２１２を肯定応答する。ＥＭ１１６は、次いで、ＭＭＥ  ＶＮＦインスタンスの動作に必要な情報を用いてＭＭＥ  ＶＮＦ（インスタンス２）２１２を構成する。ＶＮＦＭ１３６は、新たなＭＭＥ  ＶＮＦインスタンスであるＭＭＥ  ＶＮＦ（インスタンス２）２１２の追加の成功を���ＦＶＯ１３４に報告する。ＮＦＶＯ１３４は、この新たなＭＭＥインスタンスの記述子によってそのデータベースを更新する。ＥＭ１１６は、この新たなＭＭＥ  ＶＮＦ（インスタンス２）２１２をＮＦＶ  ＮＭ１１４に通知する。ＮＦＶ  ＮＭ１１４は、この新たなＭＭＥ  ＶＮＦ（インスタンス２）２１２のインスタンス化の成功を肯定応答する。ＥＭ１１６は、任意のアプリケーションに固有のパラメータでＭＭＥ  ＶＮＦ（インスタンス２）２１２を構成する。ＥＭ１１６は、ＭＭＥプールに追加されたこの新たなＭＭＥ  ＶＮＦ（インスタンス２）２１２について、ＭＭＥ  ＶＮＦ（インスタンス１）１２４に通知する。ＭＭＥ  ＶＮＦ（インスタンス１）１２４は、ＵＥにトラッキングエリア更新を実行してＭＭＥ  ＶＮＦ（インスタンス２）２１２に接続することを要求する解放理由「ロードバランシングＴＡＵが必要」によってＳ１解放手順を開始することにより、ＥＣＭ−ＣＯＮＮＥＣＴＥＤモードの１つ又は複数のＵＥをＭＭＥ  ＶＮＦ（インスタンス２）２１２にオフロードする。
【００２４】
次に図６を参照して、１つ又は複数の実施形態による要素マネージャ（ＥＭ）によって開始されるスケールインを示す図について説明する。図６は、ＭＭＥ  ＶＮＦ（インスタンス２）２１２が例えばＭＭＥ  ＶＮＦプロセッサ使用カウンタ及び／又はデータボリュームカウンタなどのしきい値超過事象に見合うように十分にロードされていないことをＥＭ１１６が検出したときに、ＭＭＥ  ＶＮＦインスタンスがどのようにスケールインされ得、ＥＴＳＩ  ＮＦＶ−ＭＡＮＯ１４０におけるＶＮＦインスタンススケーリングフローと整列されるかを示している。ＥＭ１１６は、性能メトリクス及びしきい値検出をモニタリングする。この場合には、スケーリングを行う判断は、ＥＭ１１６で行われ、ＶＮＦＭ１３６に転送される。ＥＭによって開始されるスケールインのプロセスは、以下のようになり得る。ＥＭ１１６は、例えばＭＭＥ  ＶＮＦプロセッサ使用カウンタ及び／又はデータボリュームカウンタなどの性能メトリクスと、ＭＭＥ  ＶＮＦ（インスタンス１）１２４及び／又はＭＭＥ  ＶＮＦ（インスタンス２）２１２から送信される報告とをモニタリングし、スケーリングに関わる判断を行う。ＥＭ１１６は、ＭＭＥプロセッサ使用カウンタ又はデータボリュームカウンタが所定のしきい値を下回り、資源のスケールイン（解放）を可能にし得る資源を解放する容量があることを検出する。ＥＭ１１６は、ＶＮＦＭ１３６にスケールイン動作を要求する。代替の実施形態では、ＥＭ１１６は、測定値をＶＮＦＭ１３６に転送することができ、ＶＮＦＭ１３６がこれらの測定値をＮＦＶＯ１３４に送信し、ＮＦＶＯ１３４が、いつＭＭＥ  ＶＮＦをスケールインするかを判断する。例えばメモリ、計算など、ＶＮＦ記述子中に与えられるパラメータに基づいて、ＶＮＦＭ１３６は、ＮＦＶＯ１３４にスケールインの許可を要求する。ＮＦＶＯ１３４は、そのデータベースと突き合わせて空き資源がないか検査し、ＮＦＶＯ１３４は、ＶＮＦＭ１３６に対してスケールイン動作を認可する。ＶＮＦＭ１３６は、ＭＭＥ  ＶＮＦインスタンスを除去する要求をＭＭＥ  ＶＮＦ（インスタンス２）２１２に送信する。ＭＭＥ  ＶＮＦ（インスタンス２）２１２は、ＵＥにトラッキングエリア更新を実行してＭＭＥ  ＶＮＦ（インスタンス１）１２４に接続することを要求する解放理由「ロードバランシングＴＡＵが必要」によってＳ１解放手順を開始することにより、ＥＣＭ−ＣＯＮＮＥＣＴＥＤモードの１つ又は複数のＵＥをＭＭＥ  ＶＮＦ（インスタンス１）１２４にオフロードする。ＵＥがＭＭＥ  ＶＮＦ（インスタンス２）２１２からＭＭＥ  ＶＮＦ（インスタンス１）１２４にオフロードされた後で、ＭＭＥ  ＶＮＦ（インスタンス２）２１２は、通知を送信して、ＭＭＥ  ＶＮＦ（インスタンス２）２１２が除去されていることを示す。ＭＭＥ  ＶＮＦ（インスタンス２）２１２が完全にシャットダウンされた後で、ＶＮＦＭ１３６は、ＶＩＭ１３８に、全ての関連する資源を削除するように要求する。ＶＩＭ１３８は、ＭＭＥ  ＶＮＦ（インスタンス２）２１２に関連する全ての資源の除去を肯定応答する。ＶＮＦＭ１３６は、ＮＦＶＯ１３４に対して、縮小（スケールイン）が上手く完了したことを報告する。ＮＦＶＯ１３���は、この変化を反映するようにそのデータベースを更新する。ＶＮＦＭ１３６は、ＭＭＥ  ＶＮＦ（インスタンス２）２１２の除去についてＥＭ１１６に肯定応答する。ＥＭ１１６は、ＭＭＥ  ＶＮＦ（インスタンス２）２１２の除去をＮＦＶ  ＮＭ１１４に通知し、ＮＦＶ  ＮＭ１１４は、この変化を肯定応答する。
【００２５】
次に図７を参照して、１つ又は複数の実施形態による仮想化ネットワーク機能管理を実施することができる情報ハンドリングシステムを示すブロック図について説明する。図７の情報ハンドリングシステム７００は、例えば混合ネットワークＮＭ１１０、ＤＭ１２０、ＤＭ１２２、ＮＦＶＩ１４２、ＭＭＥ１２６、ｅＮＢ１２８、ｅＮＢ１３０、ｅＮＢ１３２、及び／又はＮＦＶ−ＭＡＮＯ１４０など、本明細書において上記で説明された要素のうちの任意の１つ又は複数を有形に実施することができ、構成要素の数は、個々のデバイスのハードウェア仕様に応じて、記載したものより多くても少なくてもよい。情報ハンドリングシステム７００は、いくつかのタイプの計算プラットフォームの一例を表しているが、情報ハンドリングシステム７００は、図７に示すより多い、又は少ない要素を含み、及び／又は図７に示すものとは異なる要素の構成を含むことができるが、請求する主題の範囲は、この点で限定されることはない。
【００２６】
１つ又は複数の実施形態では、情報ハンドリングシステム７００は、アプリケーションプロセッサ７１０及びベースバンドプロセッサ７１２を含むことができる。アプリケーションプロセッサ７１０は、アプリケーションを実行する汎用プロセッサとして、また情報ハンドリングシステム７００の様々なサブシステムとして利用され得る。アプリケーションプロセッサ７１０は、単一のコアを含む、或いは複数の処理コアを含むことができ、これらのコアのうちの１つ又は複数は、デジタル信号プロセッサ又はデジタル信号処理（ＤＳＰ）コアを備えることができる。さらに、アプリケーションプロセッサ７１０は、同じチップ上に配置されたグラフィックスプロセッサ又はコプロセッサを含むことができ、或いは、アプリケーションプロセッサ７１０に結合されたグラフィックスプロセッサが、分離した別個のグラフィックスチップを備えることもできる。アプリケーションプロセッサ７１０は、キャッシュメモリなどのオンボードメモリを含むことができ、さらに、動作中にアプリケーションを記憶及び／又は実行するシンクロナスダイナミックランダムアクセスメモリ（ＳＤＲＡＭ）７１４、並びに情報ハンドリングシステム７００が電源オフされているときでもアプリケーション及び／又はデータを記憶するＮＡＮＤフラッシュ７１６などの、外部メモリデバイスに結合されることもある。１つ又は複数の実施形態では、情報ハンドリングシステム７００及び／又はその構成要素又はサブシステムのうちのいずれかを本明細書に記載されるように動作させる、又は本明細書に記載されるように構成する命令は、非一時的記憶媒体を備える製造品に記憶され得る。１つ又は複数の実施形態では、記憶媒体は、本明細書に示され記載されるメモリデバイスのうちのいずれを備えることもできるが、請求する主題の範囲は、この点で限定されることはない。ベースバンドプロセッサ７１２は、情報ハンドリングシステム７００のブロードバンド無線機能を制御することができる。ベースバンドプロセッサ７１２は、このブロードバンド無線機能を制御するコードをＮＯＲフラッシュ７１８に記憶することができる。ベースバンドプロセッサ７１２は、例えば３ＧＰＰ  ＬＴＥ又はＬＴＥアドバンストネットワークなどを介して通信するためのブロードバンドネットワーク信号を変調及び／又は復調するために使用されるワイヤレス広域ネットワーク（ＷＷＡＮ）トランシーバ７２０を制御する。
【００２７】
一般に、ＷＷＡＮトランシーバ７２０は、これらに限定されるわけではないが、広域モバイル通信システム（ＧＳＭ（登録商標））の無線通信技術、汎用パケット無線サービス（ＧＰＲＳ）の無線通信技術、ＧＳＭ進化型高速データレート（ＥＤＧＥ）の無線通信技術、並びに／或いは第３世代パートナシッププロジェクト（３ＧＰＰ）の無線通信技術、例えばユニバーサル移動体通信システム（ＵＭＴＳ）、マルチメディアへの移動体のアクセスの自由（ＦＯＭＡ）、３ＧＰＰロングタームエボリューション（ＬＴＥ）、３ＧＰＰロングタームエボリューションアドバンスト（ＬＴＥアドバンスト）、符号分割多重アクセス２０００（ＣＤＭＡ２０００）、セルラデジタルパケットデータ（ＣＤＰＤ）、Ｍｏｂｉｔｅｘ、第３世代（３Ｇ）、回路交換データ（ＣＳＤ）、高速回路交換データ（ＨＳＣＳＤ）、ユニバーサル移動体通信システム（第３世代）（ＵＭＴＳ（３Ｇ））、広帯域符号分割多重アクセス（ユニバーサル移動体通信システム）（Ｗ−ＣＤＭＡ（ＵＭＴＳ））、高速パケットアクセス（ＨＳＰＡ）、高速ダウンリンクパケットアクセス（ＨＳＤＰＡ）、高速アップリンクパケットアクセス（ＨＳＵＰＡ）、高速パケットアクセスプラス（ＨＳＰＡ＋）、ユニバーサル移動体通信システム／時分割二重（ＵＭＴＳ−ＴＤＤ）、時分割／符号分割多重アクセス（ＴＤ−ＣＤＭＡ）、時分割同期符号分割多重アクセス（ＴＤ−ＣＤＭＡ）、第３世代パートナシッププロジェクトリリース８（プレ第４世代）（３ＧＰＰ  Ｒｅｌ．８（プレ４Ｇ））、ＵＭＴＳ地上波無線アクセス（ＵＴＲＡ）、進化型ＵＭＴＳ地上波無線アクセス（Ｅ−ＵＴＲＡ）、ロングタームエボリューションアドバンスト（第４世代）（ＬＴＥアドバンスト（４Ｇ））、ｃｄｍａＯｎｅ（２Ｇ）、符号分割多重アクセス２０００（第３世代）（ＣＤＭＡ２０００（３Ｇ））、エボリューションデータオプティマイズド（Ｅｖｏｌｕｔｉｏｎ−Ｄａｔａ  Ｏｐｔｉｍｉｚｅｄ）又はエボリューションデータオンリー（Ｅｖｏｌｕｔｉｏｎ−Ｄａｔａ  Ｏｎｌｙ）（ＥＶ−ＤＯ）、高度携帯電話システム（第１世代）（ＡＭＰＳ（１Ｇ））、トータルアクセス通信システム／拡張型トータルアクセス通信システム（ＴＡＣＳ／ＥＴＡＣＳ）、デジタルＡＭＰＳ（第２世代）（Ｄ−ＡＭＰＳ（２Ｇ））、プッシュツートーク（ＰＴＴ）、移動電話システム（ＭＴＳ）、改良型移動電話システム（ＩＭＴＳ）、アドバンスト移動電話システム（ＡＭＴＳ）、ＯＬＴ（ノルウェー語でＯｆｆｅｎｔｌｉｇ  Ｌａｎｄｍｏｂｉｌ  Ｔｅｌｅｆｏｎｉ、公衆携帯電話通信）、ＭＴＤ（スウェーデン語でＭｏｂｉｌｔｅｌｅｆｏｎｉｓｙｓｔｅｍ  Ｄ、すなわち携帯電話通信システムＤ）、公衆自動陸上移動体（Ｐｕｂｌｉｃ  Ａｕｔｏｍａｔｅｄ  Ｌａｎｄ  Ｍｏｂｉｌｅ：Ａｕｔｏｔｅｌ／ＰＡＬＭ）、ＡＲＰ（フィンランド語でＡｕｔｏｒａｄｉｏｐｕｈｅｌｉｎ、すなわち「車無線電話」）、ＮＭＴ（北欧携帯電話）、ＮＴＴ大容量方式（日本電信電話）（Ｈｉｃａｐ）、セルラデジタルパケットデータ（ＣＤＰＤ）、Ｍｏｂｉｔｅｘ、ＤａｔａＴＡＣ、統合デジタル拡張ネットワーク（ｉＤＥＮ）、パーソナルデジタルセルラ（ＰＤＣ）、回路交換データ（ＣＳＤ）、パーソナルハンディフォンシステム（ＰＨＳ）、広帯域統合デジタル拡張ネットワーク（ＷｉＤＥＮ）、ｉＢｕｒｓｔ、アンライセンスモバイルアクセス（ＵＭＡ）（３ＧＰＰ汎用アクセスネットワーク若しくはＧＡＮ標準とも呼ばれる）、Ｚｉｇｂｅｅ、Ｂｌｕｅｔｏｏｔｈ（登録商標）、及び／又は一般的な遠隔トランシーバ、また一般的に任意のタイプのＲＦ回路又はＲＦＩ感応性回路、などの無線通信技術及び／又は標準のうちのいずれか１つ又は複数に従って動作することができる。このような標準は、時間とともに進化する可能性があり、及び／又は新たな標準が普及する可能性もあり、請求する主題の範囲は、この点で限定されることはないことに留意されたい。
【００２８】
ＷＷＡＮトランシーバ７２０は、ＷＷＡＮブロードバンドネットワークを介して無線周波信号を送信及び受信するための１つ又は複数のアンテナ７２４にそれぞれ結合された１つ又は複数のパワーアンプ７２２に結合する。ベースバンドプロセッサ７１２は、Ｗｉ−Ｆｉ、Ｂｌｕｅｔｏｏｔｈ（登録商標）、及び／又はＩＥＥＥ８０２．１１ａ／ｂ／ｇ／ｎ標準などの振幅変調（ＡＭ）又は周波数変調（ＦＭ）無線標準を介して通信することができる、１つ又は複数の適当なアンテナ７２８に結合されたワイヤレスローカルエリアネットワーク（ＷＬＡＮ）トランシーバ７２６を制御することもできる。これらはアプリケーションプロセッサ７１０及びベースバンドプロセッサ７１２の単なる実施態様例に過ぎず、請求する主題の範囲は、この点で限定されることはないことに留意されたい。例えば、ＳＤＲＡＭ７１４、ＮＡＮＤフラッシュ７１６、及び／又はＮＯＲフラッシュ７１８のうちのいずれか１つ又は複数が、磁気メモリ、カルコゲニドメモリ、相変化メモリ、又はオボニックメモリなど他のタイプのメモリ技術を備えることもでき、請求する主題の範囲は、この点で限定されることはない。
【００２９】
１つ又は複数の実施形態では、アプリケーションプロセッサ７１０は、様々な情報又はデータを表示するディスプレイ７３０を駆動することができ、さらに、例えば指又はスタイラスによるタッチスクリーン７３２を介したユーザからのタッチ入力を受信することができる。周囲光センサ７３４は、情報ハンドリングシステム７００が動作している周囲の光の量を検出して、例えばディスプレイ７３０の輝度又はコントラスト値を周囲光センサ７３４によって検出される周囲光の強度に応じて制御するために利用され得る。１つ又は複数のカメラ７３６は、画像を取り込むために利用され得、これらの画像は、アプリケーションプロセッサ７１０によって処理され、及び／又は少なくとも一時的にはＮＡＮＤフラッシュ７１６に記憶される。さらに、アプリケーションプロセッサは、ジャイロスコープ７３８、加速度計７４０、磁力計７４２、オーディオコーダ／デコーダ（ＣＯＤＥＣ）７４４、及び／又は適当なＧＰＳアンテナ７４８に結合された全地球測位システム（ＧＰＳ）制御装置７４６に結合して、情報ハンドリングシステム７００の位置、動き、及び／又は向きなど様々な環境的性質を検出することができる。或いは、制御装置７４６は、全地球航法衛星システム（ＧＮＳＳ）制御装置を備えることもできる。オーディオＣＯＤＥＣ７４４は、１つ又は複数のオーディオポート７５０に結合されて、例えばヘッドフォン及びマイクロフォンジャックなどを介してオーディオポート７５０を介して情報ハンドリングシステムに結合された内部デバイス及び／又は外部デバイスを介してマイクロフォン入力及びスピーカ出力を提供することができる。さらに、アプリケーションプロセッサ７１０は、１つ又は複数の入出力（Ｉ／Ｏ）トランシーバ７５２に結合して、ユニバーサルシリアルバス（ＵＳＢ）ポート、高精細度マルチメディアインタフェース（ＨＤＭＩ（登録商標））ポート、及びシリアルポートなど、１つ又は複数のＩ／Ｏポート７５４に結合することができる。さらに、Ｉ／Ｏトランシーバ７５２のうちの１つ又は複数は、セキュアデジタル（ＳＤ）カード又は加入者同定モジュール（ＳＩＭ）カードなど任意選択と取外し可能メモリの１つ又は複数のメモリスロット７５６に結合することができるが、請求する主題の範囲は、この点で限定されることはない。
【００３０】
次に図８を参照して、１つ又は複数の実施形態による、任意選択でタッチスクリーンを含むことができる図７の情報ハンドリングシステムを示す等角図について説明する。図８は、携帯電話、スマートフォン、又はタブレット型デバイスなどとして有形に実施される図７の情報ハンドリングシステム７００の実施態様例を示している。情報ハンドリングシステム７００は、１つ又は複数のアプリケーションプロセッサ７１０を制御するための触覚入力制御及びコマンドをユーザの指８１６及び／又はスタイラス１２１８を介して受信するタッチスクリーン７３２を含むことができるディスプレイ７３０を有する筐体８１０を備えることができる。筐体８１０は、情報ハンドリングシステム７００の１つ又は複数の構成要素、例えば１つ又は複数のアプリケーションプロセッサ７１０、ＳＤＲＡＭ７１４、ＮＡＮＤフラッシュ７１６、ＮＯＲフラッシュ７１８、ベースバンドプロセッサ７１２、及び／又はＷＷＡＮトランシーバ７２０のうちの１つ又は複数を収容することができる。情報ハンドリングシステム７００は、さらに、任意選択で、１つ又は複数のボタン若しくはスイッチを介して情報ハンドリングシステムを制御するためのキーボード又はボタンを備えることができる物理的アクチュエータ領域８２０を含むことができる。情報ハンドリングシステム７００は、例えばセキュアデジタル（ＳＤ）カード又は加入者同定モジュール（ＳＩＭ）カードなどの形態のフラッシュメモリなどの不揮発性メモリを受けるメモリポート又はスロット７５６を含むこともできる。任意選択で、情報ハンドリングシステム７００は、１つ又は複数のスピーカ及び／又はマイクロフォン８２４と、情報ハンドリングシステム７００を別の電子デバイス、ドック、ディスプレイ、及び充電器などに接続する接続ポート７５４とをさらに含むことができる。さらに、情報ハンドリングシステム７００は、ヘッドフォン又はスピーカジャック８２８と、１つ又は複数のカメラ７３６とを、筐体８１０の１つ又は複数の側面に含むことができる。図８の情報ハンドリングシステム７００は、図示したより多い、又は少ない要素を様々な構成で含むことができ、請求する主題の範囲は、この点で限定されることはないことに留意されたい。
【００３１】
本明細書で使用される用語「回路」は、特定用途向け集積回路（ＡＳＩＣ）、電子回路、プロセッサ（共用、専用、若しくはグループ）、及び／又は１つ若しくは複数のソフトウェア若しくはファームウェアプログラムを実行するメモリ（共用、専用、若しくはグループ）、組合せ論理回路、並びに／或いは記載した機能を提供するその他の適当なハードウェア構成要素を指すことも、それらの一部であることも、又はそれらを含むこともある。いくつかの実施形態では、回路が１つ又は複数のソフトウェア又はファームウェアモジュールで実施される、或いは回路に関連する機能が１つ又は複数のソフトウェア又はファームウェアモジュールによって実施されることもある。いくつかの例では、回路は、少なくとも部分的にはハードウェアで動作可能な論理を含むことができる。本明細書に記載される実施形態は、任意の適当に構成されたハードウェア及び／又はソフトウェアを用いたシステムで実施され得る。
【００３２】
次に図９を参照して、１つ又は複数の実施形態によるユーザ機器（ＵＥ）デバイス９００などのワイヤレスデバイスの構成要素例について説明する。いくつかの実施形態では、ＵＥデバイス９００は、少なくとも図示のように互いに結合された、アプリケーション回路９０２と、ベースバンド回路９０４と、無線周波（ＲＦ）回路９０６と、フロントエンドモジュール（ＦＥＭ）回路９０８と、１つ又は複数のアンテナ９１０とを含むことができる。
【００３３】
アプリケーション回路９０２は、１つ又は複数のアプリケーションプロセッサを含むことができる。例えば、アプリケーション回路９０２は、これに限定されるわけではないが、１つ又は複数のシングルコア又はマルチコアプロセッサなどの回路を含むことができる。この１つ又は複数のプロセッサは、例えばグラフィックスプロセッサ及びアプリケーションプロセッサなど、汎用プロセッサと専用プロセッサの任意の組合せを含むことができる。これらのプロセッサは、メモリ及び／又は記憶装置に結合される、及び／又はメモリ及び／又は記憶装置を含むことができ、メモリ及び／又は記憶装置に記憶された命令を実行して、様々なアプリケーション及び／又はオペレーティングシステムをシステム上で実行できるようにするように構成され得る。
【００３４】
ベースバンド回路９０４は、これに限定されるわけではないが、１つ又は複数のシングルコア又はマルチコアプロセッサなどの回路を含むことができる。ベースバンド回路９０４は、ＲＦ回路９０６の受信信号経路から受信されるベースバンド信号を処理し、ＲＦ回路９０６の送信信号経路に向けてベースバンド信号を生成する１つ又は複数のベースバンドプロセッサ及び／又は制御論理を含むことができる。ベースバンド処理回路９０４は、ベースバンド信号を生成及び処理し、ＲＦ回路９０６の動作を制御するアプリケーション回路９０２とのインタフェースをとることができる。例えば、いくつかの実施形態では、ベースバンド回路９０４は、第２世代（２Ｇ）のベースバンドプロセッサ９０４ａ、第３世代（３Ｇ）のベースバンドプロセッサ９０４ｂ、第４世代（４Ｇ）のベースバンドプロセッサ９０４ｃ、並びに／或いはその他の既存の世代、開発中の世代、又は例えば第５世代（５Ｇ）及び第６世代（６Ｇ）など将来開発される世代の、１つ又は複数のその他のベースバンドプロセッサ９０４ｄを含むことができる。ベースバンド回路９０４、例えばベースバンドプロセッサ９０４ａから９０４ｄのうちの１つ又は複数は、ＲＦ回路９０６を介した１つ又は複数の無線ネットワークとの通信を可能にする様々な無線制御機能を取り扱うことができる。無線制御機能は、これに限定されるわけではないが、信号の変調及び／又は復調、符号化及び／又は復号、並びに無線周波偏移などを含み得る。いくつかの実施形態では、ベースバンド回路９０４の変調及び／又は復調回路は、高速フーリエ変換（ＦＦＴ）、プリコーディング、並びに／或いはコンステレーションマッピング及び／又はデマッピング機能を含むことができる。いくつかの実施形態では、ベースバンド回路９０４の符号化及び／又は復号回路は、畳み込み、テールバイティング畳み込み、ターボ、ビタビ、及び／又は低密度パリティ検査（ＬＤＰＣ）エンコーダ及び／又はデコーダ機能を含むことができる。変調及び／又は復調並びにエンコーダ及び／又はデコーダ機能の実施形態は、これらの例に限定されるわけではなく、他の実施形態では他の適当な機能を含むことができる。
【００３５】
いくつかの実施形態では、ベースバンド回路９０４は、例えば、物理（ＰＨＹ）要素、メディアアクセス制御（ＭＡＣ）要素、無線リンク制御（ＲＬＣ）要素、パケットデータ収束プロトコル（ＰＤＣＰ）要素、及び／又は無線資源制御（ＲＲＣ）要素などを含む進化型ユニバーサル地上無線アクセスネットワーク（ＥＵＴＲＡＮ）プロトコルの要素など、プロトコルスタックの要素を含むことができる。ベースバンド回路９０４のプロセッサ９０４ｅは、ＰＨＹレイヤ、ＭＡＣレイヤ、ＲＬＣレイヤ、ＰＤＣＰレイヤ、及び／又はＲＲＣレイヤのシグナリングのためのプロトコルスタックの要素を実行するように構成され得る。いくつかの実施形態では、ベースバンド回路は、１つ又は複数のオーディオデジタル信号プロセッサ（ＤＳＰ）９０４ｆを含むことができる。この１つ又は複数のオーディオＤＳＰ９０４ｆは、圧縮及び／又は圧縮解除及び／又はエコー除去のための要素を含むことができ、他の実施形態では他の適当な処理要素を含むことができる。ベースバンド回路の構成要素は、単一のチップ、又は単一のチップセットで適当に結合されることも、或いはいくつかの実施形態では同じ回路基板上に配置されることもある。いくつかの実施形態では、ベースバンド回路９０４及びアプリケーション回路９０２の構成要素のうちの一部又は全てが、例えばシステムオンチップ（ＳＯＣ）上などでともに実施されることもある。
【００３６】
いくつかの実施形態では、ベースバンド回路９０４は、１つ又は複数の無線技術に適合した通信を実現することができる。例えば、いくつかの実施形態では、ベースバンド回路９０４は、進化型ユニバーサル地上無線アクセスネットワーク（ＥＵＴＲＡＮ）及び／又はその他のワイヤレスメトロポリタンエリアネットワーク（ＷＭＡＮ）、ワイヤレスローカルエリアネットワーク（ＷＬＡＮ）、ワイヤレスパーソナルエリアネットワーク（ＷＰＡＮ）との通信をサポートすることができる。ベースバンド回路９０４が複数のワイヤレスプロトコルの無線通信をサポートするように構成される実施形態は、マルチモードベースバンド回路と呼ばれることもある。
【００３７】
ＲＦ回路９０６は、非固体媒体を通した変調電磁放射を用いたワイヤレスネットワークとの通信を可能にすることができる。様々な実施形態では、ＲＦ回路９０６は、ワイヤレスネットワークとの通信を容易にするスイッチ、フィルタ、及び増幅器などを含むことができる。ＲＦ回路９０６は、ＦＥＭ回路９０８から受信されるＲＦ信号をダウンコンバートしてベースバンド信号をベースバンド回路９０４に提供する回路を含むことができる受信信号経路を含むことができる。ＲＦ回路９０６は、ベースバンド回路９０４によって提供されるベースバンド信号をアップコンバートしてＲＦ出力信号を送信するためにＦＥＭ回路９０８に提供する回路を含むことができる送信信号経路も含むことができる。
【００３８】
いくつかの実施形態では、ＲＦ回路９０６は、受信信号経路及び送信信号経路を含むことができる。ＲＦ回路９０６の受信信号経路は、ミキサ回路９０６ａと、増幅器回路９０６ｂと、フィルタ回路９０６ｃとを含むことができる。ＲＦ回路９０６の送信信号経路は、フィルタ回路９０６ｃとミキサ回路９０６ａとを含むことができる。ＲＦ回路９０６は、受信信号経路及び送信信号経路のミキサ回路９０６ａによって使用される周波数を合成するシンセサイザ回路９０６ｄも含むことができる。いくつかの実施形態では、受信信号経路のミキサ回路９０６ａは、シンセサイザ回路９０６ｄによって提供される合成周波数に基づいてＦＥＭ回路９０８から受信されるＲＦ信号をダウンコンバートするように構成され得る。増幅器回路９０６ｂは、ダウンコンバートされた信号を増幅するように構成され得、フィルタ回路９０６ｃは、ダウンコンバートされた信号から不要な信号を除去して出力ベースバンド信号を生成するように構成された低域通過フィルタ（ＬＰＦ）又は帯域フィルタ（ＢＰＦ）とすることができる。出力ベースバンド信号は、さらに処理するためにベースバンド回路９０４に提供される可能性がある。いくつかの実施形態では、出力ベースバンド信号は、ゼロ周波数ベースバンド信号とすることができるが、これは必要条件ではない。いくつかの実施形態では、受信信号経路のミキサ回路９０６ａは、受動ミキサを備えることができるが、実施形態の範囲は、この点で限定されることはない。
【００３９】
いくつかの実施形態では、送信信号経路のミキサ回路９０６ａは、シンセサイザ回路９０６ｄによって提供される合成周波数に基づいてベースバンド信号をアップコンバートして、ＦＥＭ回路９０８に向けてＲＦ出力信号を生成するように構成され得る。ベースバンド信号は、ベースバンド回路９０４に提供され得、フィルタ回路９０６ｃによってフィルタリングされ得る。フィルタ回路９０６ｃは、低域通過フィルタ（ＬＰＦ）を含むことができるが、実施形態の範囲は、この点で限定されることはない。
【００４０】
いくつかの実施形態では、受信信号経路のミキサ回路９０６ａ及び送信信号経路のミキサ回路９０６ａは、２つ以上のミキサを含むことができ、それぞれ直角ダウンコンバート及び／又はアップコンバートを行うように構成され得る。いくつかの実施形態では、受信信号経路のミキサ回路９０６ａ及び送信信号経路のミキサ回路９０６ａは、２つ以上のミキサを含むことができ、例えばハートレーイメージ除去などのイメージ除去を行うように構成され得る。いくつかの実施形態では、受信信号経路のミキサ回路９０６ａ及びミキサ回路９０６ａは、それぞれ直接ダウンコンバート及び／又は直接アップコンバートを行うように構成され得る。いくつかの実施形態では、受信信号経路のミキサ回路９０６ａ及び送信信号経路のミキサ回路９０６ａは、スーパーヘテロダイン動作を行うように構成され得る。
【００４１】
いくつかの実施形態では、出力ベースバンド信号及び入力ベースバンド信号は、アナログベースバンド信号とすることができるが、実施形態の範囲は、この点で限定されることはない。いくつかの代替の実施形態では、出力ベースバンド信号及び入力ベースバンド信号は、デジタルベースバンド信号とすることができる。これらの代替の実施形態では、ＲＦ回路９０６は、アナログ／デジタル変換器（ＡＤＣ）及びデジタル／アナログ変換器（ＤＡＣ）回路を含むことができ、ベースバンド回路９０４は、ＲＦ回路９０６と通信するデジタルベースバンドインタフェースを含むことができる。いくつかのデュアルモード実施形態では、別個の無線集積回路（ＩＣ）回路が、１つ又は複数のスペクトルの信号を処理するために設けられ得るが、実施形態の範囲は、この点で限定されることはない。
【００４２】
いくつかの実施形態では、シンセサイザ回路９０６ｄは、フラクショナルＮシンセサイザ、又はフラクショナルＮ／Ｎ＋１シンセサイザとすることができるが、他のタイプの周波数シンセサイザも適している可能性があるので、実施形態の範囲は、この点で限定されることはない。例えば、シンセサイザ回路９０６ｄは、デルタシグマ型シンセサイザ、周波数逓倍器、又は周波数分割器を有する位相ロックループを備えるシンセサイザとすることができる。
【００４３】
シンセサイザ回路９０６ｄは、周波数入力及び分割器制御入力に基づいて、ＲＦ回路９０６のミキサ回路９０６ａによって使用される出力周波数を合成するように構成され得る。いくつかの実施形態では、シンセサイザ回路９０６ｄは、フラクショナルＮ／Ｎ＋１シンセサイザとすることができる。
【００４４】
いくつかの実施形態では、周波数入力は、電圧制御発振器（ＶＣＯ）によって提供され得るが、これは必要条件ではない。分割器制御入力は、所望の出力周波数に応じて、ベースバンド回路９０４又はアプリケーションプロセッサ９０２によって提供され得る。いくつかの実施形態では、分割器制御入力（例えばＮ）は、アプリケーションプロセッサ９０２によって示されるチャネルに基づいて参照テーブルから決定され得る。
【００４５】
ＲＦ回路９０６のシンセサイザ回路９０６ｄは、分割器、遅延ロックループ（ＤＬＬ）、マルチプレクサ、及び位相アキュムレータを含むことができる。いくつかの実施形態では、分割器は、デュアルモジュラス分割器（ＤＭＤ）とすることができ、位相アキュムレータは、デジタル位相アキュムレータ（ＤＰＡ）とすることができる。いくつかの実施形態では、ＤＭＤは、例えば桁上げに基づいて、入力信号をＮ又はＮ＋１で除算して、分数分割比を提供するように構成され得る。いくつかの実施形態例では、ＤＬＬは、カスケード型の同調可能な遅延要素のセット、位相検出器、チャージポンプ、及びＤ型フリップフロップを含むことができる。これらの実施形態では、遅延要素は、ＶＣＯ周期をＮｄ個の等しい位相パケットに分解するように構成され得、ここで、Ｎｄは、遅延線内の遅延要素の数である。このようにして、ＤＬＬは、遅延線における総遅延が１ＶＣＯサイクルとなることを保証するのを助ける負のフィードバックを提供する。
【００４６】
いくつかの実施形態では、シンセサイザ回路９０６ｄは、出力周波数として搬送周波数を生成するように構成され得るが、他の実施形態では、出力周波数は、例えば搬送周波数の２倍、搬送周波数の４倍など、搬送周波数の倍数であってもよく、直角生成器／分割器回路と関連して使用されて、互いに異なる複数の位相を有する搬送周波数の複数の信号を生成することができる。いくつかの実施形態では、出力周波数は、局部発振器（ＬＯ）周波数（ｆＬＯ）とすることができる。いくつかの実施形態では、ＲＦ回路９０６は、同相及び直角（ＩＱ）変換器並びに／又はポーラ変換器を含むことができる。
【００４７】
ＦＥＭ回路９０８は、１つ又は複数のアンテナ９１０から受信されるＲＦ信号を操作し、この受信信号を増幅し、受信信号を増幅したものをさらに処理するためにＲＦ回路９０６に提供するように構成された回路を含むことができる受信信号経路を含むことができる。ＦＥＭ回路９０８は、ＲＦ回路９０６によって提供される送信用の信号を、１つ又は複数のアンテナ９１０のうちの１つ又は複数によって送信するために増幅するように構成された回路を含むことができる送信信号経路も含むことができる。
【００４８】
いくつかの実施形態では、ＦＥＭ回路９０８は、送信モード動作と受信モード動作とを切り替える送信／受信（ＴＸ／ＲＸ）スイッチを含むことができる。ＦＥＭ回路９０８は、受信信号経路及び送信信号経路を含むことができる。ＦＥＭ回路９０８の受信信号経路は、受信されたＲＦ信号を増幅し、増幅された受信ＲＦ信号を出力として例えばＲＦ回路９０６に提供する、低雑音増幅器（ＬＮＡ）を含むことができる。ＦＥＭ回路９０８の送信信号経路は、例えばＲＦ回路９０６によって提供される入力ＲＦ信号を増幅する電力増幅器（ＰＡ）と、例えばアンテナ９１０のうちの１つ又は複数によって後に送信されるＲＦ信号を生成する１つ又は複数のフィルタとを含むことができる。いくつかの実施形態では、ＵＥデバイス９００は、例えばメモリ及び／又は記憶装置、ディスプレイ、カメラ、センサ、並びに／或いは入出力（Ｉ／Ｏ）インタフェースなど、追加の要素を含むことができるが、請求する主題の範囲は、この点で限定されることはない。
【００４９】
第１の例では、モビリティ管理エンティティ（ＭＭＥ）プールを有するネットワークにおいて資源を管理してロードバランシングを実行する情報ハンドリングシステムは、ＭＭＥプール内の少なくとも１つのＭＭＥについての性能測定値を受信し、性能測定値のうちの少なくとも１つが少なくとも１つの所定のしきい値を超える場合に、新たなモビリティ管理エンティティ仮想ネットワーク機能（ＭＭＥ  ＶＮＦ）をインスタンス化するように要求し、この要求に応答してＭＭＥ  ＶＮＦをインスタンス化し、ＭＭＥプールによって管理される１つ又は複数のユーザ機器（ＵＥ）デバイスを追加されたＭＭＥ  ＶＮＦに接続するように構成された回路を備える。
【００５０】
第２の例では、モビリティ管理エンティティ（ＭＭＥ）プールを有するネットワークにおいて資源を管理してロードバランシングを実行する情報ハンドリングシステムは、ＭＭＥ仮想ネットワーク機能（ＭＭＥ  ＶＮＦ）の性能測定値を受信し、性能測定値のうちの少なくとも１つが少なくとも１つの所定のしきい値を超える場合に、新たなＭＭＥ  ＶＮＦをスケールアウトする要求を送信し、この要求に応答して新たなＭＭＥ  ＶＮＦをインスタンス化し、ＭＭＥプールによって管理される１つ又は複数のユーザ機器（ＵＥ）デバイスを新たなＭＭＥ  ＶＮＦに接続するように構成された回路を備える。
【００５１】
第３の例では、モビリティ管理エンティティ（ＭＭＥ）プールを有するネットワークにおいて資源を管理する情報ハンドリングシステムは、ＭＭＥ仮想ネットワーク機能（ＭＭＥ  ＶＮＦ）の性能測定値を受信し、性能測定値のうちの少なくとも１つが少なくとも１つの所定のしきい値を超える場合に、ＭＭＥ  ＶＮＦ資源をスケールアップする要求を送信し、この要求に応答してＭＭＥ  ＶＮＦ資源を増大させ、この増大したＭＭＥ  ＶＮＦ資源に応じて新たな重み因子でＭＭＥプールによって管理される１つ又は複数のユーザ機器（ＵＥ）デバイスを更新するように構成された回路を備える。
【００５２】
第４の例では、モビリティ管理エンティティ（ＭＭＥ）プールを有するネットワークにおいて資源を管理してロードバランシングを実行する情報ハンドリングシステムは、ＭＭＥ仮想ネットワーク機能（ＭＭＥ  ＶＮＦ）の性能測定値を受信し、性能測定値のうちの少なくとも１つが少なくとも１つの所定のしきい値を下回る場合に、ＭＭＥ  ＶＮＦをスケールインする要求を送信し、ＭＭＥプールによって管理される１つ又は複数のユーザ機器（ＵＥ）デバイスを異なるＭＭＥ  ＶＮＦにオフロードし、スケールインされるＭＭＥ  ＶＮＦを終了するように構成された回路を備える。
【００５３】
第５の例では、モビリティ管理エンティティ（ＭＭＥ）プールを有するネットワークにおいて資源を管理する情報ハンドリングシステムは、ＭＭＥ仮想ネットワーク機能（ＭＭＥ  ＶＮＦ）の性能測定値を受信し、性能測定値のうちの少なくとも１つが少なくとも１つの所定のしきい値を下回る場合に、ＭＭＥ  ＶＮＦ資源をスケールダウンする要求を送信し、この要求に応答してＭＭＥ  ＶＮＦ資源を減少させ、この増大したＭＭＥ  ＶＮＦ資源に応じて新たな重み因子でＭＭＥプールによって管理される１つ又は複数のユーザ機器（ＵＥ）デバイスを更新するように構成された回路を備える。
【００５４】
第６の例では、モビリティ管理エンティティ（ＭＭＥ）プールを有するネットワークにおいて資源を管理してロードバランシングを実行する方法は、ＭＭＥプール内の少なくとも１つのＭＭＥについての性能測定値を受信するステップと、性能測定値のうちの少なくとも１つが少なくとも１つの所定のしきい値を超える場合に、新たなモビリティ管理エンティティ仮想ネットワーク機能（ＭＭＥ  ＶＮＦ）をインスタンス化するように要求するステップと、この要求に応答してＭＭＥ  ＶＮＦをインスタンス化するステップと、ＭＭＥプールによって管理される１つ又は複数のユーザ機器（ＵＥ）デバイスをこの追加されたＭＭＥ  ＶＮＦに接続するステップとを備える。
【００５５】
第７の例では、モビリティ管理エンティティ（ＭＭＥ）プールを有するネットワークにおいて資源を管理してロードバランシングを実行する方法は、ＭＭＥ仮想ネットワーク機能（ＭＭＥ  ＶＮＦ）の性能測定値を受信するステップと、性能測定値のうちの少なくとも１つが少なくとも１つの所定のしきい値を超える場合に、新たなＭＭＥ  ＶＮＦをスケールアウトする要求を送信するステップと、この要求に応答して新たなＭＭＥ  ＶＮＦをインスタンス化するステップと、ＭＭＥプールによって管理される１つ又は複数のユーザ機器（ＵＥ）デバイスを新たなＭＭＥ  ＶＮＦに接続するステップとを備える。
【００５６】
第８の例では、モビリティ管理エンティティ（ＭＭＥ）プールを有するネットワークにおいて資源を管理する方法は、ＭＭＥ仮想ネットワーク機能（ＭＭＥ  ＶＮＦ）の性能測定値を受信するステップと、性能測定値のうちの少なくとも１つが少なくとも１つの所定のしきい値を超える場合に、ＭＭＥ  ＶＮＦ資源をスケールアップする要求を送信するステップと、この要求に応答してＭＭＥ  ＶＮＦ資源を増大させるステップと、この増大したＭＭＥ  ＶＮＦ資源に応じて新たな重み因子でＭＭＥプールによって管理される１つ又は複数のユーザ機器（ＵＥ）デバイスを更新するステップとを備える。
【００５７】
第９の例では、モビリティ管理エンティティ（ＭＭＥ）プールを有するネットワークにおいて資源を管理してロードバランシングを実行する方法は、ＭＭＥ仮想ネットワーク機能（ＭＭＥ  ＶＮＦ）の性能測定値を受信するステップと、性能測定値のうちの少なくとも１つが少なくとも１つの所定のしきい値を下回る場合に、ＭＭＥ  ＶＮＦをスケールインする要求を送信するステップと、ＭＭＥプールによって管理される１つ又は複数のユーザ機器（ＵＥ）デバイスを異なるＭＭＥ  ＶＮＦにオフロードするステップと、スケールインされるＭＭＥ  ＶＮＦを終了するステップとを備える。
【００５８】
第１０の例では、モビリティ管理エンティティ（ＭＭＥ）プールを有するネットワークにおいて資源を管理する方法は、ＭＭＥ仮想ネットワーク機能（ＭＭＥ  ＶＮＦ）の性能測定値を受信するステップと、性能測定値のうちの少なくとも１つが少なくとも１つの所定のしきい値を下回る場合に、ＭＭＥ  ＶＮＦ資源をスケールダウンする要求を送信するステップと、この要求に応答してＭＭＥ  ＶＮＦ資源を減少させるステップと、この増大したＭＭＥ  ＶＮＦ資源に応じて新たな重み因子でＭＭＥプールによって管理される１つ又は複数のユーザ機器（ＵＥ）デバイスを更新するステップとを備える。
【００５９】
第１１の例では、モビリティ管理エンティティ（ＭＭＥ）プールを有するネットワークにおいて資源を管理してロードバランシングを実行する命令が記憶された非一時的記憶媒体を備える製造品であって、これらの命令は、実行された場合に、ＭＭＥプール内の少なくとも１つのＭＭＥについての性能測定値を受信し、性能測定値のうちの少なくとも１つが少なくとも１つの所定のしきい値を超える場合に、新たなモビリティ管理エンティティ仮想ネットワーク機能（ＭＭＥ  ＶＮＦ）をインスタンス化するように要求し、この要求に応答してＭＭＥ  ＶＮＦをインスタンス化し、ＭＭＥプールによって管理される１つ又は複数のユーザ機器（ＵＥ）デバイスを追加されたＭＭＥ  ＶＮＦに接続することをもたらす。
【００６０】
第１２の例では、モビリティ管理エンティティ（ＭＭＥ）プールを有するネットワークにおいて資源を管理してロードバランシングを実行する命令が記憶された非一時的記憶媒体を備える製造品であって、これらの命令は、実行された場合に、ＭＭＥ仮想ネットワーク機能（ＭＭＥ  ＶＮＦ）の性能測定値を受信し、性能測定値のうちの少なくとも１つが少なくとも１つの所定のしきい値を超える場合に、新たなＭＭＥ  ＶＮＦをスケールアウトする要求を送信し、この要求に応答して新たなＭＭＥ  ＶＮＦをインスタンス化し、ＭＭＥプールによって管理される１つ又は複数のユーザ機器（ＵＥ）デバイスを新たなＭＭＥ  ＶＮＦに接続することをもたらす。
【００６１】
第１３の例では、モビリティ管理エンティティ（ＭＭＥ）プールを有するネットワークにおいて資源を管理してロードバランシングを実行する命令が記憶された非一時的記憶媒体を備える製造品であって、これらの命令は、実行された場合に、ＭＭＥ仮想ネットワーク機能（ＭＭＥ  ＶＮＦ）の性能測定値を受信し、性能測定値のうちの少なくとも１つが少なくとも１つの所定のしきい値を超える場合に、ＭＭＥ  ＶＮＦ資源をスケールアップする要求を送信し、この要求に応答してＭＭＥ  ＶＮＦ資源を増大させ、この増大したＭＭＥ  ＶＮＦ資源に応じて新たな重み因子でＭＭＥプールによって管理される１つ又は複数のユーザ機器（ＵＥ）デバイスを更新することをもたらす。
【００６２】
第１４の例では、モビリティ管理エンティティ（ＭＭＥ）プールを有するネットワークにおいて資源を管理してロードバランシングを実行する命令が記憶された非一時的記憶媒体を備える製造品であって、これらの命令は、実行された場合に、ＭＭＥ仮想ネットワーク機能（ＭＭＥ  ＶＮＦ）の性能測定値を受信し、性能測定値のうちの少なくとも１つが少なくとも１つの所定のしきい値を下回る場合に、ＭＭＥ  ＶＮＦをスケールインする要求を送信し、ＭＭＥプールによって管理される１つ又は複数のユーザ機器（ＵＥ）デバイスを異なるＭＭＥ  ＶＮＦにオフロードし、スケールインされるＭＭＥ  ＶＮＦを終了することをもたらす。
【００６３】
第１５の例では、モビリティ管理エンティティ（ＭＭＥ）プールを有するネットワークにおいて資源を管理してロードバランシングを実行する命令が記憶された非一時的記憶媒体を備える製造品であって、これらの命令は、実行された場合に、ＭＭＥ仮想ネットワーク機能（ＭＭＥ  ＶＮＦ）の性能測定値を受信し、性能測定値のうちの少なくとも１つが少なくとも１つの所定のしきい値を下回る場合に、ＭＭＥ  ＶＮＦ資源をスケールダウンする要求を送信し、この要求に応答してＭＭＥ  ＶＮＦ資源を減少させ、この増大したＭＭＥ  ＶＮＦ資源に応じて新たな重み因子でＭＭＥプールによって管理される１つ又は複数のユーザ機器（ＵＥ）デバイスを更新することをもたらす。
【００６４】
上記の例のうちのいくつかでは、以下のさらなる例が当てはまることもある。性能測定値は、少なくとも１つのＭＭＥのモニタ機能から受信される。性能測定値は、ＭＭＥプロセッサ使用を備え、回路は、ＭＭＥプロセッサ使用カウンタがしきい値を超える場合に、追加の計算資源又は記憶資源或いはその組合せを割り当てるようにさらに構成される。性能測定値は、Ｓ１−ＭＭＥデータボリュームを備え、回路は、Ｓ１−ＭＭＥデータカウンタがしきい値を超える場合に、ネットワーク容量を追加するようにさらに構成される。性能測定値は、ネットワークのネットワークマネージャ（ＮＭ）によって受信され、ＮＭは、性能測定値のうちの少なくとも１つが少なくとも１つの所定のしきい値を超えるかどうかを判定する。性能測定値は、ネットワークのネットワークマネージャ（ＮＭ）によって受信され、ＮＭは、負荷測定値をネットワーク仮想機能オーケストレータ（ＮＦＶオーケストレータ）に転送し、ＮＦＶオーケストレータは、性能測定値のうちの少なくとも１つが少なくとも１つの所定のしきい値を超えるかどうかを判定する。性能測定値は、ネットワークのＶＮＦマネージャによって受信され、ＶＮＦマネージャは、性能測定値のうちの少なくとも１つが少なくとも１つの所定のしきい値を超えるかどうかを判定する。性能測定値は、ネットワークのＶＮＦマネージャによって受信され、ＶＮＦマネージャは、負荷測定値をネットワーク仮想機能オーケストレータ（ＮＦＶオーケストレータ）に転送し、ＮＦＶオーケストレータは、性能測定値のうちの少なくとも１つが少なくとも１つの所定のしきい値を超えるかどうかを判定する。性能測定値は、ネットワークの要素マネージャによって受信され、要素マネージャは、性能測定値のうちの少なくとも１つが少なくとも１つの所定のしきい値を超えるかどうかを判定する。性能測定値は、ネットワークの要素マネージャによって受信され、要素マネージャは、負荷測定値をネットワーク仮想機能オーケストレータ（ＮＦＶオーケストレータ）にＶＮＦＭを介して転送し、ＮＦＶオーケストレータは、性能測定値のうちの少なくとも１つが少なくとも１つの所定のしきい値を超えるかどうかを判定する。ＭＭＥプールは、少なくとも１つの物理ＭＭＥネットワーク要素を備え、前記接続することは、１つ又は複数のＵＥを物理ＭＭＥネットワーク要素からＭＭＥ  ＶＮＦにリバランスすることを備える。回路は、性能測定値のうちの少なくとも１つが少なくとも１つの所定のしきい値を下回る場合に、ＭＭＥ  ＶＮＦを終了するようにさらに構成される。
【００６５】
上記の例のうちのいくつかでは、以下のさらなる例が当てはまることもある。性能測定値は、少なくとも１つのＭＭＥ  ＶＮＦのモニタ機能から受信される。性能測定値は、ＭＭＥプロセッサ使用を備え、回路は、ＭＭＥプロセッサ使用カウンタがしきい値を下回る場合に、計算資源又は記憶資源或いはその組合せを除去するようにさらに構成される。負荷測定値は、Ｓ１−ＭＭＥデータボリュームを備え、回路は、Ｓ１−ＭＭＥデータカウンタがしきい値を下回る場合に、ネットワーク容量を除去するようにさらに構成される。性能測定値は、ネットワークのネットワークマネージャ（ＮＭ）によって受信され、ＮＭは、性能測定値のうちの少なくとも１つが少なくとも１つの所定のしきい値を下回るかどうかを判定する。性能測定値は、ネットワークのネットワークマネージャ（ＮＭ）によって受信され、ＮＭは、負荷測定値をネットワーク仮想機能オーケストレータ（ＮＶＦオーケストレータ）に転送し、ＮＦＶオーケストレータは、性能測定値のうちの少なくとも１つが少なくとも１つの所定のしきい値を下回るかどうかを判定する。性能測定値は、ネットワークのＶＮＦマネージャによって受信され、ＶＮＦマネージャは、性能測定値のうちの少なくとも１つが少なくとも１つの所定のしきい値を下回るかどうかを判定する。性能測定値は、ネットワークのＶＮＦマネージャによって受信され、ＶＮＦマネージャは、負荷測定値をネットワーク仮想機能オーケストレータ（ＮＶＦオーケストレータ）に転送し、ＮＦＶオーケストレータは、性能測定値のうちの少なくとも１つが少なくとも１つの所定のしきい値を下回るかどうかを判定する。性能測定値は、ネットワークの要素マネージャによって受信され、要素マネージャは、性能測定値のうちの少なくとも１つが少なくとも１つの所定のしきい値を下回るかどうかを判定する。性能測定値は、ネットワークの要素マネージャによって受信され、要素マネージャは、負荷測定値をネットワーク仮想機能オーケストレータ（ＮＶＦオーケストレータ）に転送し、ＮＦＶオーケストレータは、性能測定値のうちの少なくとも１つが少なくとも１つの所定のしきい値を下回るかどうかを判定する。
【００６６】
請求する主題についてある程度具体的に説明されているが、その要素は、請求する主題の趣旨及び／又は範囲を逸脱することなく、当業者によって改変され得ることを認識されたい。仮想化ネットワーク機能管理に関係する主題、及びそれに付随するユーティリティの多くは、上記の説明によって理解されるものと考えられ、その構成要素の形態、構造、及び／若しくは構成には、請求する主題の範囲及び／若しくは趣旨を逸脱することなく、又はその物質的な利点の全てを犠牲にすることなく、及び／又はさらに請求する主題に実質的な変更を加えることなく、様々な変更が加えられ得、本明細書の上記で述べられている形態は、単にその例示的な実施形態に過ぎない。特許請求の範囲は、このような変更を包含する、及び／又は含むことを意図している。
【図１】
2017528967.tif 000003
【図２】
2017528967.tif 000004
【図３】
2017528967.tif 000005
【図４】
2017528967.tif 000006
【図５】
2017528967.tif 000007
【図６】
2017528967.tif 000008
【図７】
2017528967.tif 000009
【図８】
2017528967.tif 000010
【図９】
2017528967.tif 000011
【国際調査報告】
2017528967.tif 000012
2017528967.tif 000013